(57)【特許請求の範囲】
【請求項１】
コンテンツおよび表示アイコン指定子、簡易広告データ、リンク先情報をネットワークを通じて送信する広告提供装置と、
広告の詳細情報をネットワークを通じて送信する広告主サーバ装置と、
コンテンツとともに表示アイコン指定子、リンク先情報をネットワークを通じて前記広告提供装置から取得して記憶し、前記表示アイコン指定子に基づいて簡易広告データをネットワークを通じて前記広告提供装置から取得し、予め定める出力時点に記憶したコンテンツの再生と同期して表示するとともに、簡易広告データに対する操作があると、前記リンク先情報に基づいて広告の詳細情報をネットワークを通じて前記広告主サーバ装置から取得し、記憶したコンテンツの再生と非同期に表示する広告表示装置とを含むことを特徴とする広告提供システム。
【請求項２】
請求項１記載の広告提供システムを構成する広告提供装置であって、
少なくともコンテンツを識別するためのコンテンツＩＤ情報、表示アイコン指定子および広告の詳細情報を要求するリンク先を表すリンク先情報を含む広告情報と、簡易広告データと、コンテンツを記憶する記憶手段と、
コンテンツＩＤ情報を含む要求情報を広告表示装置からネットワークを通じて受信する受信手段と、
受信手段によって受信した要求情報に含まれるコンテンツＩＤ情報に対応する表示アイコン指定子、リンク先情報を含む広告情報を記憶手段から検索する検索手段と、
検索手段によって検索された表示アイコン指定子、リンク先情報を含む広告情報を、要求情報を送信した広告表示装置にネットワークを通じて送信する送信手段とを含み、
前記受信手段が広告表示装置から送信される簡易広告要求情報を受信すると、前記検索手段が受信した簡易広告要求情報に含まれる表示アイコン指定子に対応する簡易広告データを記憶手段から検索し、前記送信手段がネットワークを通じて広告表示装置に送信することを特徴とする広告提供装置。
【請求項３】
コンテンツを識別するためのコンテンツＩＤ情報を含む要求情報をネットワークを通じて広告提供装置に送信する送信手段と、
送信手段によって送信された要求情報に応答して前記広告提供装置から送信されるコンテンツ、表示アイコン指定子およびリンク先情報を受信する受信手段と、
受信手段によって受信したコンテンツ、表示アイコン指定子およびリンク先情報を記憶する記憶手段と、
コンテンツを表示すると共に、前記表示アイコン指定子に基づいて簡易広告データをネットワークを通じて前記広告提供装置から取得し、予め定める出力時点に記憶したコンテンツの再生と同期して表示するコンテンツ表示手段と、
簡易広告データを指定する指定手段とを含み、
送信手段は、指定手段によって簡易広告データが指定されると、広告の詳細情報を要求する詳細要求情報を、前記リンク先情報が示す広告主サーバ装置にネットワークを通じて送信し、
受信手段は、送信手段によって送信された詳細要求情報に応答して前記広告主サーバ装置から返信される詳細情報を受信し、
コンテンツ表示手段は、受信手段によって受信された詳細情報を記憶したコンテンツの再生と非同期に表示することを特徴とする広告表示装置。
【請求項４】
前記受信手段は、コンテンツとともにコンテンツを出力する画面内で簡易広告データを表示する位置を表す簡易広告表示位置情報、およびコンテンツ出力中に簡易広告データを表示する時点を表す簡易広告表示時間情報を受信し、
前記コンテンツ表示手段は、前記簡易広告データを、簡易広告表示位置情報が示す位置および簡易広告表示時間情報が示す時点に、コンテンツに重畳して表示することを特徴とする請求項３に記載の広告表示装置。
【請求項５】
前記受信手段は、コンテンツとともに広告の表示を許可する時刻を規定する時間限定情報を受信し、前記コンテンツ表示手段は、広告情報が示す簡易広告データの表示可否を前記時間限定情報によって決定することを特徴とする請求項３に記載の広告表示装置。
【請求項６】
前記受信手段は、コンテンツとともに広告の表示の有効期限を規定する有効期限情報を受信し、前記コンテンツ表示手段は、広告情報が示す簡易広告データの表示可否を前記有効期限情報によって決定することを特徴とする請求項３に記載の広告表示装置。
【請求項７】
前記受信手段は、コンテンツとともに広告の対象年齢を規定する年齢情報を受信し、前記コンテンツ表示手段は、広告情報が示す簡易広告データの表示可否を前記年齢情報よって決定することを特徴とする請求項３に記載の広告表示装置。
【請求項８】
前記コンテンツ表示手段は、コンテンツの再生を停止している間、前記指定手段によって簡易広告データが指定された時点のコンテンツの画面を縮小して、予め定める表示領域に出力し、
前記表示手段は、詳細情報を前記予め定める表示領域以外の領域に表示することを特徴とする請求項３に記載の広告表示装置。
【請求項９】
前記受信手段は、コンテンツとともにコンテンツを出力する画面内で簡易広告データが示す商品に関係する位置を示す商品位置情報を受信し、
前記コンテンツ表示手段は、前記指定手段によって指定された簡易広告データが示す商品の位置を特定するための商品特定情報を、その簡易広告データの商品位置情報が示す位置に、指定手段によって簡易広告データが指定された時点のコンテンツの画面に重畳させて表示することを特徴とする請求項８に記載の広告表示装置。
【請求項１０】
前記コンテンツ表示手段は、複数の簡易表示データを表示する際、出力されたコンテンツの画面内の商品に、各簡易表示データに関係する商品を特定するための商品特定情報を表示し、
前記指定手段は、商品特定情報を選択するための選択キーを含み、選択キーによって選択された商品特定情報が特定する商品の簡易広告データを指定することを特徴とする請求項９に記載の広告表示装置。
【請求項１１】
前記指定手段は、前記コンテンツ表示手段による簡易広告データの表示が終了した後、次の簡易広告データが表示されるまで、直近に表示された簡易広告データを指定することを特徴とする請求項３に記載の広告表示装置。
【請求項１２】
前記コンテンツ表示手段は、前記受信手段によって受信した詳細情報を表示している間、直近の簡易広告データを表示していた期間のコンテンツの最終画面を出力することを特徴とする請求項１１に記載の広告表示装置。
【請求項１３】
前記送信手段は、詳細要求情報をリンク先に送信する際、予め定められるリンク先毎の変数データであって、詳細情報以外の他の情報を表す変数データを付加して送信することを特徴とする請求項３に記載の広告表示装置。
【請求項１４】
広告表示装置が、コンテンツとともに表示アイコン指定子、リンク先情報をネットワークを通じて、広告提供装置から取得して記憶し、
広告表示装置が、前記表示アイコン指定子に基づいて簡易広告データをネットワークを通じて前記広告提供装置から取得し、予め定める出力時点に記憶したコンテンツの再生と同期して表示すると共に、簡易広告データに対する操作があると、前記リンク先情報に基づいて広告の詳細情報をネットワークを通じて広告主サーバ装置から取得し、
広告表示装置が、取得した広告の詳細情報を記憶したコンテンツの再生と非同期に表示することを特徴とする広告提供方法。
【請求項１５】
コンピュータを請求項３に記載の広告表示装置の各手段として機能させるためのプログラム。
【発明の詳細な説明】
【技術分野】
【０００１】
本発明は、広告付きのコンテンツを提供する広告提供システム、広告提供装置、広告表示装置、広告提供方法およびプログラムに関する。
【背景技術】
【０００２】
地上デジタル放送あるいはＶＯＤ（Video On Demand）など、ＰＰＶ（Pay Per View）のサービスが普及しつつある。このＰＰＶのサービスは、有料のコンテンツを提供するものであり、より安価なコンテンツを提供するために、広告付きのコンテンツを提供するものがある。
【０００３】
広告付きのコンテンツを提供する第１の従来の技術として、映像と商品情報とを同期させて放送する商品の購入注文システムがある。この商品の購入注文システムでは、放送局は、映像の中の購入可能な商品の商品情報をデータ信号に変換して、映像信号および音声信号と同期させて受信端末に送出する。受信端末は、受信したデータ信号を商品情報に変換して、映像信号に同期させて表示する。視聴者は、リモコンを操作して所望の商品情報の閲覧および購入依頼を、受信装置に接続されたブラウズ機能を有する携帯電話を介して、情報センタと双方向通信を行う。情報センタは、商品情報の閲覧の要求に対して商品情報を送信し、購入依頼があると商品情報提供者へ購入依頼を送る。すなわち、この商品の購入注文システムは、映像表示中に商品情報を表示し、携帯電話を介して商品の注文を行うものである（たとえば特許文献１参照）。
【０００４】
第２の従来の技術として、インタラクティブテレビの加入者管理システムと連動させたインタラクティブテレビ向け広告システムがある。このインタラクティブテレビ向け広告システムは、加入者管理システムが有する加入者の個人情報、たとえば年齢および家族構成などの情報を利用して加入者に提供する広告をカスタマイズし、広告の参照履歴に基づく分析結果、たとえば加入者の嗜好の分析結果を広告主に提供し、さらに広告参照回数を加入者管理システムに提供する。加入者管理システムは、インタラクティブテレビ向け広告システムから提供された広告参照回数によってインタラクティブテレビ利用料金の割引を行う（たとえば特許文献２参照）。広告は、インタラクティブテレビ向け広告システムつまり放送局から加入者に提供されるが、特許文献２には、放送によって送信される画像との関係および広告の提示方法については記載されていない。
【０００５】
第３の従来の技術として、広告メッセージをデジタルＴＶコンテンツと結合して出力するデジタルＴＶ（Television）受信機がある。このＴＶ受信機は、ネットワークから広告メッセージをダウンロードして貯蔵し、貯蔵している広告メッセージをバナー表示し終わるまでの間のみ、デジタルＴＶサービス提供者からビデオデータを受信して出力する。料金を支払うことなく、または通常の料金よりも割引された価格でデジタルＴＶコンテンツを受信することができる。広告メッセージは、ビデオデータと非同期にダウンロードされるが、ビデオデータの内容とも非同期で出力される（たとえば特許文献３参照）。
【０００６】
第４の従来の技術として、ＣＭ（Commercial Message）を視聴して商品を購入すると有料番組に対する視聴料を割引く番組放送装置がある。この番組放送装置は、有料番組を視聴する際に、視聴者にＣＭを視聴するか否かを選択させ、視聴者がＣＭ視聴を選択するとＣＭを放送し、視聴者がＣＭの商品を購入すると、割引いた視聴料を徴収する。さらに番組放送装置は、商品を購入した視聴者および商品のＣＭを放送した番組などの情報をスポンサに提供する。ＣＭ放送は、有料番組を放送する前、あるいは番組放送後に放送される。あるいは番組放送中は番組放送画面を停止し、つまり番組放送を停止してＣＭを放送し、画面の一部にＣＭを表示する（たとえば特許文献４参照）。
【０００７】
第５の従来の技術として、広告データが再生されるとコンテンツデータの料金を割引く情報処理システムがある。この情報処理システムでは、情報処理装置は、コンテンツデータに広告データを付加して配信し、情報処理端末がコンテンツデータ再生後広告データを再生すると、コンテンツデータの料金を割引く。広告データは、コンテンツデータと同期して配信されるが、広告データの再生は、コンテンツデータとは独立して再生される（たとえば特許文献５参照）。
【０００８】
第６の従来の技術として、商品の購入により発生したポイントによって、有料放送を無料あるいはポイント数に応じて割引かれた料金で視聴することができるポイント制電子商取引システムがある。このポイント制電子商取引システムでは、受注センタは、視聴者端末から広告商品を受注すると、広告商品に応じたポイント数を計算して視聴者端末に送信するとともに、そのポイント数と受注商品のスポンサ情報を放送センタに送信する。視聴者端末は、受信したポイント数に基づいて、有料放送の課金情報を減算して放送センタに送信する。放送センタは、受信した課金情報に基づいて視聴料請求書を発行する。番組、広告、および広告の商品属性情報は、放送センタで多重化されて放送、あるいは、番組は、広告および広告の商品属性情報と別チャンネルで放送される（たとえば特許文献６参照）。広告は、番組と同期して放送されるが、特許文献６には、番組の内容との関係および広告の提示方法については記載されていない。
【０００９】
第７の従来の技術として、視聴した広告の本数に応じてコンテンツの料金を割引するコンテンツ管理システムがある。このコンテンツ管理システムは、視聴者装置から視聴者が視聴可能な広告本数の情報を受領すると、有料番組コンテンツの視聴に対する課金額から視聴可能な広告本数に基づく割引額を差し引いて課金処理を行い、視聴者装置における広告本数分の広告コンテンツの視聴を監視する。規定時間内に広告が視聴されないと、強制的に広告を再生させる。視聴者が広告のカテゴリを登録しておくことによって、カテゴリに属する広告を視聴することができる。視聴者は、有料コンテンツを一時停止して、あるいは画面を分割して有料番組コンテンツと同時に、広告コンテンツを視聴することができる。有料コンテンツと広告コンテンツとは非同期で配信され、有料コンテンツの内容と広告コンテンツとは同期していない（たとえば特許文献７参照）。
【００１０】
第８の従来の技術として、画面をクリックすると広告サイトのホームページを表示する動画映像デジタル情報再生装置がある。この動画映像デジタル情報再生装置は、動画データおよび音声データとともに入力される広告映像位置情報に基づいて、広告サイトのホームページを表示する。広告映像位置情報は、動画映像の中の位置と広告サイトアドレスとを対応付けた情報である。動画映像デジタル情報再生装置は、利用者が動画映像をクリックすると、Ｗｅｂブラウザを起動して、クリックされた位置に対応する広告サイトにアクセスしてホームページを表示する。広告サイトの表示は、画面を分割して動画映像とともに表示、動画映像の再生を中断して広告サイトのみ表示、あるいは広告サイトの名称を画面に表示してインターネット接続を保留する表示方法があり、利用者は表示方法を変更することができる。音声表示マークを動画映像中に表示し、その音声表示マークをクリックすることによって、音声に対応する広告サイトのホームページを表示する。さらに、広告サイトの検索先および回数を記録しておいて、広告料を請求するためのリンク実績データを動画映像配信事業者に提供する（たとえば特許文献８参照）。
【００１１】
【特許文献１】特開２００２−２３２８６６号公報
【特許文献２】特開２００１−２４９９７号公報
【特許文献３】特開２００２−２３２８０８号公報
【特許文献４】特開２００２−３６９１７７号公報
【特許文献５】特開２００３−６５３０号公報
【特許文献６】特開２００３−１２２９８８号公報
【特許文献７】特開２００４−７０２６号公報
【特許文献８】特許第３５５５０８３号公報
【発明の開示】
【発明が解決しようとする課題】
【００１２】
しかしながら、第１の従来の技術は、商品情報を映像と同期して表示するために、商品情報を映像信号と同期して送信する必要があるという問題がある。同様に、第８の従来の技術は、画面に表示される映像の特定の位置がクリックされると、動画データおよび音声データと同期して入力される広告映像位置情報に基づいて、クリックされた位置に対応する広告サイトにアクセスするものであるが、広告映像位置情報を動画データおよび音声データと同期して入力する必要があるという問題がある。
【００１３】
第２の従来の技術は、放送局から加入者に広告を提供するが、特許文献２には広告と放送局から放送される画像との関係は示されていない。同様に、第６の従来の技術は、番組と同期して広告を放送するが、特許文献６には広告と番組の内容との関係は示されていない。
【００１４】
第３の従来の技術は、広告メッセージをビデオデータと非同期にダウンロードするものであるが、ビデオデータの内容と広告メッセージとは同期していない。第４の従来の技術は、ＣＭ放送を、有料番組を放送する前もしくは番組放送後に放送し、または番組放送中は、番組放送を停止してＣＭを放送し、番組の画面の一部にＣＭを表示するものであり、番組の内容とＣＭとは同期していない。第５の従来の技術は、広告データをコンテンツデータと同期して配信するが、広告データをコンテンツデータとは独立して広告データを再生するものであり、コンテンツデータの内容と広告データとは同期していない。第７の従来の技術は、有料コンテンツと広告コンテンツとを非同期で配信するものであり、有料コンテンツの内容と広告コンテンツとは同期していない。これら４つの従来の技術は、広告がコンテンツの内容と同期して表示されないという問題がある。
【００１５】
本発明の目的は、コンテンツと広告情報とを非同期に取得し、コンテンツと同期して表示される広告情報から広告の詳細情報を表示することができる広告提供システム、広告提供装置、広告表示装置、広告提供方法およびプログラムを提供することである。
【課題を解決するための手段】
【００１６】
本発明は、コンテンツおよび表示アイコン指定子、簡易広告データ、リンク先情報をネットワークを通じて送信する広告提供装置と、
広告の詳細情報をネットワークを通じて送信する広告主サーバ装置と、
コンテンツとともに表示アイコン指定子、リンク先情報をネットワークを通じて前記広告提供装置から取得して記憶し、前記表示アイコン指定子に基づいて簡易広告データをネットワークを通じて前記広告提供装置から取得し、予め定める出力時点に記憶したコンテンツの再生と同期して表示するとともに、簡易広告データに対する操作があると、前記リンク先情報に基づいて広告の詳細情報をネットワークを通じて前記広告主サーバ装置から取得し、記憶したコンテンツの再生と非同期に表示する広告表示装置とを含むことを特徴とする広告提供システムである。
【００１７】
本発明に従えば、広告提供装置によって、コンテンツおよび表示アイコン指定子、簡易広告データ、リンク先情報がネットワークを通じて送信され、広告主サーバ装置によって、広告の詳細情報がネットワークを通じて送信され、広告表示装置によって、表示アイコン指定子に基づいて簡易広告データがネットワークを通じて広告提供装置から取得され、予め定める出力時点に表示され、さらに簡易広告データに対する操作があると、前記リンク先情報に基づいて広告の詳細情報がネットワークを通じて広告主サーバ装置から取得され、記憶したコンテンツの再生と非同期に表示される。
【００１８】
このように、広告表示装置は、リンク先情報に基づいて簡易広告データを広告提供装置から取得し、予め定める出力時点に表示し、さらに表示された簡易広告データに対する操作があると、リンク先情報に基づいて広告の詳細情報を広告主サーバ装置から取得し、取得した詳細情報を、出力されるコンテンツと非同期に表示するので、広告情報を出力されるコンテンツと必ずしも同期させて取得する必要がなく、コンテンツと広告情報とを非同期に取得して、出力されるコンテンツと同期して表示される簡易広告データから広告の詳細情報を表示することができる。
【００１９】
また本発明は、上記の広告提供システムを構成する広告提供装置であって、
少なくともコンテンツを識別するためのコンテンツＩＤ情報、表示アイコン指定子および広告の詳細情報を要求するリンク先を表すリンク先情報を含む広告情報と、簡易広告データと、コンテンツを記憶する記憶手段と、
コンテンツＩＤ情報を含む要求情報を広告表示装置からネットワークを通じて受信する受信手段と、
受信手段によって受信した要求情報に含まれるコンテンツＩＤ情報に対応する表示アイコン指定子、リンク先情報を含む広告情報を記憶手段から検索する検索手段と、
検索手段によって検索された表示アイコン指定子、リンク先情報を含む広告情報を、要求情報を送信した広告表示装置にネットワークを通じて送信する送信手段とを含み、
前記受信手段が広告表示装置から送信される簡易広告要求情報を受信すると、前記検索手段が受信した簡易広告要求情報に含まれる表示アイコン指定子に対応する簡易広告データを記憶手段から検索し、前記送信手段がネットワークを通じて広告表示装置に送信することを特徴とする広告提供装置。
【００２０】
本発明に従えば、記憶手段によって、少なくともコンテンツを識別するためのコンテンツＩＤ情報、表示アイコン指定子および広告の詳細情報を要求するリンク先を表すリンク先情報を含む広告情報と、簡易広告データと、コンテンツが記憶され、受信手段によって、コンテンツのコンテンツＩＤ情報を含む要求情報が広告表示装置からネットワークを通じて受信され、検索手段によって、受信手段によって受信された要求情報に含まれるコンテンツＩＤ情報に対応する表示アイコン指定子、リンク先情報を含む広告情報が記憶手段から検索され、送信手段によって、検索手段によって検索された表示アイコン指定子、リンク先情報を含む広告情報が、要求情報を送信した広告表示装置にネットワークを通じて送信される。前記受信手段が広告表示装置から送信される簡易広告要求情報を受信すると、前記検索手段が受信した簡易広告要求情報に含まれる表示アイコン指定子に対応する簡易広告データを記憶手段から検索し、前記送信手段がネットワークを通じて広告表示装置に送信する。
【００２１】
このように、少なくともコンテンツを識別するためのコンテンツＩＤ情報、表示アイコン指定子および広告の詳細情報を要求するリンク先を表すリンク先情報を含む広告情報と、簡易広告データと、コンテンツを記憶手段に記憶し、コンテンツのコンテンツＩＤ情報を含む要求情報を受信すると、受信した要求情報に含まれるコンテンツＩＤ情報に対応する表示アイコン指定子、リンク先情報を含む広告情報を記憶手段から検索して、要求情報を送信した広告表示装置に送信するので、広告提供装置に記憶する表示アイコン指定子を変更することによって、広告表示装置に表示する簡易広告データの表示位置および表示時点を変えることができる。
【００２２】
また本発明は、コンテンツを識別するためのコンテンツＩＤ情報を含む要求情報をネットワークを通じて広告提供装置に送信する送信手段と、
送信手段によって送信された要求情報に応答して前記広告提供装置から送信されるコンテンツ、表示アイコン指定子およびリンク先情報を受信する受信手段と、
受信手段によって受信したコンテンツ、表示アイコン指定子およびリンク先情報を記憶する記憶手段と、
コンテンツを表示すると共に、前記表示アイコン指定子に基づいて簡易広告データをネットワークを通じて前記広告提供装置から取得し、予め定める出力時点に記憶したコンテンツの再生と同期して表示するコンテンツ表示手段と、
簡易広告データを指定する指定手段とを含み、
送信手段は、指定手段によって簡易広告データが指定されると、広告の詳細情報を要求する詳細要求情報を、前記リンク先情報が示す広告主サーバ装置にネットワークを通じて送信し、
受信手段は、送信手段によって送信された詳細要求情報に応答して前記広告主サーバ装置から返信される詳細情報を受信し、
コンテンツ表示手段は、受信手段によって受信された詳細情報を記憶したコンテンツの再生と非同期に表示することを特徴とする広告表示装置である。
【００２３】
本発明に従えば、まず、送信手段によって、コンテンツを識別するためのコンテンツＩＤ情報を含む要求情報がネットワークを通じて広告提供装置に送信され、受信手段によって、送信手段によって送信された要求情報に応答して前記広告提供装置から送信されるコンテンツ、表示アイコン指定子およびリンク先情報が受信され、記憶手段によって、受信手段によって受信されたコンテンツ、表示アイコン指定子およびリンク先情報が記憶され、コンテンツ表示手段によって、表示アイコン指定子に基づいて簡易広告データをネットワークを通じて前記広告提供装置から取得し、予め定める出力時点に記憶したコンテンツの再生と同期して表示され、指定手段によって、簡易広告データが指定される。
【００２４】
さらに、簡易広告データが指定手段によって指定されると、広告の詳細情報を要求する詳細要求情報が、前記リンク先情報が示す広告主サーバ装置にネットワークを通じて送信され、受信手段によって、送信手段によって送信された詳細要求情報に応答して前記広告主サーバ装置から返信される詳細情報が受信され、コンテンツ表示手段によって、受信手段によって受信された詳細情報が記憶したコンテンツの再生と非同期に表示される。
【００２５】
このように、コンテンツを識別するためのコンテンツＩＤ情報を含む要求情報を送信し、要求情報に応答して広告提供装置から返信されるコンテンツおよび広告ＩＤ情報を受信すると、受信したコンテンツおよび広告ＩＤ情報を記憶手段に記憶し、広告ＩＤ情報に基づいて簡易広告データをネットワークを通じて前記広告提供装置から取得し、予め定める出力時点にコンテンツと同期して表示し、さらに表示された簡易広告データが指定手段によって指定されると、指定された簡易広告データの詳細情報を、前記リンク先情報が示す広告主サーバ装置から取得し、取得した詳細情報を、出力されるコンテンツと非同期に表示するので、広告情報を出力されるコンテンツと必ずしも同期させて取得する必要がなく、記憶したコンテンツの再生と広告情報とを非同期に取得して、記憶したコンテンツの再生と同期して表示される簡易広告データから広告の詳細情報を表示することができる。
【００２６】
また本発明は、前記受信手段は、コンテンツとともにコンテンツを出力する画面内で簡易広告データを表示する位置を表す簡易広告表示位置情報、およびコンテンツ出力中に簡易広告データを表示する時点を表す簡易広告表示時間情報を受信し、
前記コンテンツ表示手段は、前記簡易広告データを、簡易広告表示位置情報が示す位置および簡易広告表示時間情報が示す時点に、コンテンツに重畳して表示することを特徴とする。
【００２７】
本発明に従えば、受信手段は、コンテンツとともにコンテンツを出力する画面内で簡易広告データを表示する位置を表す簡易広告表示位置情報、およびコンテンツ出力中に簡易広告データを表示する時点を表す簡易広告表示時間情報を受信し、広告情報が示す簡易広告データを、簡易広告データ表示位置情報が示す位置および簡易広告データ表示時間情報が示す時点に、出力されるコンテンツに重畳して表示するので、簡易広告データが示す位置および時点に、簡易広告を表示することができる。
【００２８】
また本発明は、前記受信手段は、コンテンツとともに広告の表示を許可する時刻を規定する時間限定情報を受信し、前記コンテンツ表示手段は、広告情報が示す簡易広告データの表示可否を前記時間限定情報によって決定することを特徴とする。
【００２９】
また本発明は、前記受信手段は、コンテンツとともに広告の表示の有効期限を規定する有効期限情報を受信し、前記コンテンツ表示手段は、広告情報が示す簡易広告データの表示可否を前記有効期限情報によって決定することを特徴とする。
また本発明は、前記受信手段は、コンテンツとともに広告の対象年齢を規定する年齢情報を受信し、前記コンテンツ表示手段は、広告情報が示す簡易広告データの表示可否を前記年齢情報よって決定することを特徴とする。
【００３０】
また本発明は、前記コンテンツ表示手段は、コンテンツの再生を停止している間、前記指定手段によって簡易広告データが指定された時点のコンテンツの画面を縮小して、予め定める表示領域に出力し、
前記表示手段は、詳細情報を前記予め定める表示領域以外の領域に表示することを特徴とする。
【００３１】
本発明に従えば、コンテンツの再生を停止しているとき、簡易広告データが指定された時点のコンテンツの画面を縮小して、予め定める表示領域に出力し、詳細情報をその表示領域以外の領域に表示するので、簡易広告データが指定された時点のコンテンツの画面を見ることができる。
【００３２】
また本発明は、前記受信手段は、コンテンツとともにコンテンツを出力する画面内で簡易広告データが示す商品に関係する位置を示す商品位置情報を受信し、
前記コンテンツ表示手段は、前記指定手段によって指定された簡易広告データが示す商品の位置を特定するための商品特定情報を、その簡易広告データの商品位置情報が示す位置に、指定手段によって簡易広告データが指定された時点のコンテンツの画面に重畳させて表示することを特徴とする。
【００３３】
本発明に従えば、指定手段によって指定された簡易広告データが示す商品の位置を特定するための商品特定情報を、その簡易広告データの商品位置情報が示す位置に、指定手段によって簡易広告データが指定された時点のコンテンツの画面に重畳させて表示するので、指定された簡易広告データに関係する商品をコンテンツの映像の中で特定することができる。
【００３６】
また本発明は、前記コンテンツ表示手段は、複数の簡易表示データを表示する際、出力されたコンテンツの画面内の商品に、各簡易表示データに関係する商品を特定するための商品特定情報を表示し、
前記指定手段は、商品特定情報を選択するための選択キーを含み、選択キーによって選択された商品特定情報が特定する商品の簡易広告データを指定することを特徴とする。
【００３７】
本発明に従えば、複数の簡易表示データを表示する際、出力されたコンテンツの画面内の商品に、各簡易表示データに関係する商品を特定するための商品特定情報を表示し、指定手段によって選択された商品特定情報が特定する商品の簡易表示データを選択するので、出力されたコンテンツの画面内の商品を選択することによって、詳細情報を見たい商品を選択することができる。
【００３８】
また本発明は、前記指定手段は、前記コンテンツ表示手段による簡易広告データの表示が終了した後、次の簡易広告データが表示されるまで、直近に表示された簡易広告データを指定することを特徴とする。
【００３９】
本発明に従えば、簡易広告データの表示が終了した後、次の簡易広告データが表示されるまでに、ユーザ操作があると、直近に表示された簡易広告データを選択するので、簡易広告データの表示が終了した後も簡易広告データの詳細情報を見ることができる。
【００４０】
また本発明は、前記コンテンツ表示手段は、前記受信手段によって受信した詳細情報を表示している間、直近の簡易広告データを表示していた期間のコンテンツの最終画面を出力することを特徴とする。
【００４１】
本発明に従えば、再生を一時停止したときとき、直近の簡易広告データを表示していた期間のコンテンツの最終画面を出力するので、簡易広告データに対応する商品が出力されていたコンテンツの画面を表示することができる。
【００４４】
また本発明は、前記送信手段は、詳細要求情報をリンク先に送信する際、予め定められるリンク先毎の変数データであって、詳細情報以外の他の情報を表す変数データを付加して送信することを特徴とする。
【００４５】
本発明に従えば、詳細情報を要求する際、予め定められるリンク先毎の変数データを付加して送信するので、詳細情報以外の情報、たとえばユーザ情報あるいは機器情報のやり取りを行うことができる。
【００４６】
また本発明は、広告表示装置が、コンテンツとともに表示アイコン指定子、リンク先情報をネットワークを通じて、広告提供装置から取得して記憶し、
広告表示装置が、前記表示アイコン指定子に基づいて簡易広告データをネットワークを通じて前記広告提供装置から取得し、予め定める出力時点に記憶したコンテンツの再生と同期して表示すると共に、簡易広告データに対する操作があると、前記リンク先情報に基づいて広告の詳細情報をネットワークを通じて広告主サーバ装置から取得し、
広告表示装置が、取得した広告の詳細情報を記憶したコンテンツの再生と非同期に表示することを特徴とする広告提供方法である。
【００４７】
本発明に従えば、まずコンテンツとともに表示アイコン指定子、リンク先情報をネットワークを通じて、広告提供装置から取得して記憶し、前記表示アイコン指定子に基づいて簡易広告データをネットワークを通じて前記広告提供装置から取得し、予め定める出力時点に記憶したコンテンツの再生と同期して表示し、次に表示された簡易広告データに対する操作があると、前記リンク先情報に基づいて広告の詳細情報を送信する情報提供装置からネットワークを通じて、広告主サーバ装置から表示された広告の詳細情報を取得し、取得した詳細情報を、出力されるコンテンツと非同期に広告表示装置に表示するので、広告情報を出力されるコンテンツと必ずしも同期させて取得する必要がなく、記憶したコンテンツの再生と広告情報とを非同期に取得して、コンテンツと同期して表示される広告情報から広告の詳細情報を表示することができる。
【００４８】
また本発明は、コンピュータを前記広告表示装置の各手段として機能させるためのプログラムである。
【００４９】
本発明に従えば、コンピュータを前記広告表示装置の各手段として機能させるためのプログラムとして提供することができる。
【発明の効果】
【００５０】
本発明によれば、簡易広告データをコンテンツと非同期で取得することができるので、コンテンツを変更することなく、簡易広告データのみを差し換えることができる。
【００５１】
また本発明によれば、広告提供装置に記憶する広告情報を変更することによって、広告表示装置に表示する簡易広告データの表示位置および表示時点を変えることができるので、簡易広告データの表示位置あるいは表示時点を広告提供装置側で管理することができる。
【００５２】
また本発明によれば、簡易広告データをコンテンツと非同期で取得することができるので、コンテンツを変更することなく、簡易広告データのみを差し換えることができる。
【００５３】
また本発明によれば、広告情報が示す位置および時点に、簡易広告データを表示することができるので、広告情報を変更することによって、簡易広告データの表示位置および表示時点を変えることができる。
【００５５】
また本発明によれば、簡易広告データが指定された時点のコンテンツの画面を見ることができるので、指定された簡易広告データに関係する商品の映像をコンテンツの映像の中に確認することができ、コンテンツと商品との関連性をわかりやすくすることができる。
【００５６】
また本発明によれば、指定された簡易広告データに関係する商品をコンテンツの映像の中で特定することができるので、ユーザは、希望する商品を容易に見つけることができる。
【００５８】
また本発明によれば、出力されたコンテンツの画面内の商品を選択することによって、詳細情報を見たい商品を選択することができるので、ユーザは、視覚によって商品を選択することができる。
【００５９】
また本発明によれば、簡易広告データの表示が終了した後も簡易広告データの詳細情報を見ることができるので、簡易広告データ表示期間が過ぎても、簡易広告データの詳細情報を見ることができ、利便性を向上することができる。
【００６０】
また本発明によれば、簡易広告データに対応する商品が出力されていたコンテンツの画面を表示することができるので、ユーザは、興味のある商品を映像で見ることができる。
【００６２】
また本発明によれば、詳細情報以外の情報、たとえばユーザ情報あるいは機器情報のやり取りを行うことができるので、詳細情報取得の際に、他の情報を交換することによって、他の機能を付加することができる。
【００６３】
また本発明によれば、簡易広告データをコンテンツと非同期で取得することができるので、コンテンツを変更することなく、簡易広告データのみを差し換えることができる。
【００６４】
また本発明によれば、コンピュータを広告表示装置の各手段として機能させるためのプログラムとして提供することができる。
【発明を実施するための最良の形態】
【００６５】
図１は、本発明の実施の一形態である広告提供システム１のブロック図である。広告提供システム１は、受信装置１０、サービスサーバ２０、および広告主サーバ３０を含み、受信装置１０、サービスサーバ２０、および広告主サーバ３０は、インターネット５０に接続される。
【００６６】
広告表示装置である受信装置１０は、サービスサーバ２０から、コンテンツおよびポップアップデータを取得して、コンテンツの出力およびポップアップつまり広告情報の表示を行う。受信装置１０に表示されたポップアップに対して、ユーザが、後述するリモコンによる操作を行うと、ポップアップデータに含まれるＵＲＬを元に、広告主サーバ３０のＷｅｂサーバ機能にアクセスして、商品情報のＷｅｂページつまり広告の詳細情報を表示する。コンテンツの購入は、受信装置１０からサービスサーバ２０に対して、たとえばクレジットカードの情報を送信することによって行われる。商品の購入は、受信装置１０から広告主サーバ３０に対して、たとえばクレジットカードの情報を送信することによって行われる。図１には、受信装置１０を１台しか示していないが、複数台の受信装置１０をインターネット５０に接続してもよい。
【００６７】
広告提供装置であるサービスサーバ２０は、一般的なサーバ機能を持つコンピュータによって構成され、受信装置１０に対して、コンテンツおよびポップアップデータを送信する。送信するコンテンツは、主に映像が使用され、たとえばＶＯＤサービスによって提供される。サービスサーバ２０は、ＶＯＤサービスを有料で行う場合、受信装置１０からコンテンツの購入の依頼があると、受信したクレジットカード情報を、専用回線Ａ６０を経由して与信サーバ４０に問い合わせることによって、課金を行う。
【００６８】
情報提供装置である広告主サーバ３０は、一般的なサーバ機能を持つコンピュータによって構成され、Ｗｅｂサーバ機能を含む。受信装置１０に対して、商品に関連するＷｅｂページを送信する。広告主サーバ３０は、商品の販売も行い、受信装置１０から商品の購入の依頼があると、受信したクレジットカード情報を、専用回線Ｂ６１を経由して与信サーバ４０に問い合わせることによって、課金を行う。
【００６９】
与信サーバ４０は、受信したクレジットカード情報によって、クレジットカードが有効であることを確認するサーバである。与信サーバ４０は、インターネット５０には接続されず、サービスサーバ２０および広告主サーバ３０と、それぞれ専用回線Ａ６０および専用回線Ｂ６１によって接続される。
【００７０】
図２は、図１に示した受信装置１０のブロック図である。受信装置１０は、インターネット５０に接続可能なＳＴＢ（Set Top Box）あるいはパーソナルコンピュータによって構成され、ネットワークインタフェース１１、ＣＰＵ（Central Processing Unit）１２、ビデオインタフェース１３、ワークメモリ１４、不揮発性メモリ１５、リモコン受信部１６、表示パネル１７、および図示しないリモコン１００を含む。
【００７１】
ネットワークインタフェース１１は、受信装置１０をインターネット５０などのネットワークに接続するためのインタフェース回路であり、たとえばイーサネット（登録商標）規格に適合するものである。ＣＰＵ１２は、不揮発性メモリ１５に記憶されたプログラムを実行することによって、受信装置１０の制御および演算を行う回路である。ビデオインタフェース１３は、映像の合成を行い、表示パネル１７に対して、映像の出力を行う。ワークメモリ１４は、ＣＰＵ１２における制御および演算において、一時的な記憶を行うメモリであり、たとえばＤＲＡＭ（Dynamic Random Access Memory）によって構成される。
【００７２】
不揮発性メモリ１５は、読み書き可能で、かつ電源が供給されなくてもデータが消去されないメモリ、たとえばフラッシュメモリあるいはＨＤＤ（Hard Disk Drive）によって構成され、プログラム記憶部１５ａ、ポップアップデータ記憶部１５ｂ、コンテンツ記憶部１５ｃ、および設定情報記憶部１５ｄを含む。プログラム記憶部１５ａは、コンテンツおよびポップアップデータを受信するプログラム、コンテンツの再生およびポップアップの表示を行うポップアップ表示プログラム、広告主のＷｅｂページなどを表示するＷｅｂブラウザのプログラムを記憶する。ポップアップデータ記憶部１５ｂは、サービスサーバ２０から受信した複数件のポップアップデータを記憶する。コンテンツ記憶部１５ｃは、サービスサーバ２０から受信したコンテンツを一時的に記憶する。設定情報記憶部１５ｄは、後述する設定画面で設定される情報を記憶する。
【００７３】
リモコン受信部１６は、後述するリモコン１００から発信される信号、たとえば赤外線の信号を受信する。表示パネル１７は、たとえば液晶パネルなどで構成され、ビデオインタフェース１３から出力される映像を表示する。表示パネル１７は、図２に示したように受信装置１０に組み込まれる構成でもよいが、外部装置として受信装置１０と独立した構成でもよい。表示パネル１７の解像度は、たとえば１３６６×７６８である。
【００７４】
図３は、図２に示した受信装置１０に含まれるリモコン１００の外観図である。リモコン１００は、受信装置１０が受信できる信号、たとえば赤外線の信号を発信し、電源キー１０１、設定キー１０２、決定キー１０３、上下左右４方向に対応する４つのカーソルキー１０４、機能キー１０５、戻るキー１０６、文字種切り換えキー１０７、および文字入力キー１０８を含む。
【００７５】
電源キー１０１は、受信装置１０の電源の状態のＯＮとＯＦＦとを切り換える。設定キー１０２は、設定メニューの先頭画面の表示に使用する。決定キー１０３は、選択項目を決定する場合に使用する。上方向、下方向、左方向、および右方向への４つのカーソルキー１０４は、設定画面などで選択された箇所、たとえばフォーカスを移動させる。機能キー１０５は、機能メニューの表示に使用する。戻るキー１０６は、前の画面に戻る。文字種切り換えキー１０７は、文字入力のモードで入力できる文字種を、数字、平仮名、片仮名、アルファベット大文字、あるいはアルファベット小文字に切り換える。文字入力キー１０８は、文字入力のモードで、文字を入力するために使用される０〜９のキーおよび濁点キー、合計１１個のキーで構成される。
【００７６】
文字種切り換えキー１０７の操作およびキーを押す回数によって、各文字入力キーで入力することができる文字が切り替わる。具体的には、数字モードの場合、キー表示通りの数字を入力することができる。平仮名モードの場合、それぞれキー「１」は、「あ」行、キー「２」は「か」行、キー「３」は「さ」行、キー「４」は「た」行、キー「５」は「な」行、キー「６」は「は」行、キー「７」は「ま」行、キー「８」は「や」行、キー「９」は「ら」行、およびキー「０」は「わ」行を入力する。片仮名モードの場合、平仮名モードと同様の文字を片仮名で入力することができる。アルファベット大文字モードの場合、キー「２」は「Ａ、Ｂ、またはＣ」、キー「３」は「Ｄ、Ｅ、またはＦ」、キー「４」は「Ｇ、Ｈ、またはＩ」、キー「５」は「Ｊ、Ｋ、またはＬ」、キー「６」は「Ｍ、Ｎ、またはＯ」、キー「７」は「Ｐ、Ｑ、Ｒ、またはＳ」、キー「８」は「Ｔ、Ｕ、またはＶ」、およびキー「９」は「Ｗ、Ｘ、Ｙ、またはＺ」を入力することができる。アルファベット小文字モードの場合、アルファベット大文字モードで入力することができる文字の小文字を入力できる。濁点キーは、平仮名モード、あるいは片仮名モードで直前に入力した文字に濁点を付け、さらにもう一度押すことで半濁点を付ける。
【００７７】
図４は、図１に示したサービスサーバ２０から配信されるポップアップデータの構造図の一例を示す。ポップアップデータは、サービスサーバ２０から配信されるポップアップのデータであり、ポップアップＩＤ（Identification）２０１、コンテンツＩＤ２０２、広告主２０３、内容２０４、表示モード２０５、開始時間２０６、継続時間２０７、時間限定２０８、ポップアップ座標２０９、商品座標２１０、アクション２１１、表示アイコンＵＲＬ（Uniform Resource Locator）２１２、広告主ＵＲＬ２１３、ジャンプ先ＵＲＬ２１４、有効期限２１５、ジャンル２１６、および年齢２１７の各データ項目を含む。
【００７８】
一つのコンテンツには、通常複数のポップアップデータが用意され、図４に示した例では、リスト形式で特定のコンテンツに対応するポップアップデータを列挙している。ポップアップデータの配信は、図４に示したポップアップデータを一括して配信するが、必ずしも一括して配信する必要はなく、ポップアップデータを一件毎に配信してもよい。
【００７９】
ポップアップＩＤ２０１は、ポップアップが示す商品を一意に識別するためのＩＤであり、同じ商品であれば、その他のデータ項目が異なる値であっても、同じポップアップＩＤが割り付けられる。コンテンツＩＤ２０２は、ポップアップデータが表示されるべきコンテンツのＩＤである。コンテンツＩＤ２０２によって、コンテンツは一意に特定される。広告主２０３は、ポップアップデータの広告主の名称である。内容２０４は、ポップアップが示す商品の内容を表す。
【００８０】
表示モード２０５は、ポップアップを表示するタイミングを指定するもので、コンテンツ再生前、コンテンツ再生中、あるいはコンテンツ再生後に表示するか否かを、「１」または「０」の３桁の数字で示している。表示する場合「１」とし、表示しない場合を「０と」して、最上位の桁をコンテンツ再生前、真中の桁をコンテンツ再生中、および最下位の桁をコンテンツ再生後として示している。コンテンツ再生前、コンテンツ再生中、およびコンテンツ再生後のうちの複数のタイミングで重複して表示することも可能である。
【００８１】
開始時間２０６は、ポップアップ表示を開始する時点を示し、コンテンツの先頭を「００：００：００」とした相対的な時点を、「時間：分：秒」で表す。継続時間２０７は、開始時間２０６から、ポップアップ表示を継続する期間を「分：秒」で表す。時間限定２０８は、開始時間２０６で示した時点以外で表示することを許可するか否かを表す情報で、「なし」の場合は許可することを示し、「あり」の場合は許可しないことを示す。
【００８２】
ポップアップ座標２０９は、ポップアップ時に表示させるアイコンを出す画面上の座標、たとえばアイコンの右上を合わせる位置を表す。コンテンツ再生中にポップアップを行わない場合は、空白とする。商品座標２１０は、コンテンツ表示領域内で、ポップアップが示す商品に関係する位置の座標を示す。コンテンツの画面に直接関係しない場合は、空白とする。アクション２１１は、ポップアップ時にアイコンを表示させる態様を示すもので、「通常」は単純に表示させるだけであり、「点滅」はアイコンの表示と非表示とを高速に切り換えて、たとえば０．５秒間隔で切り換えて表示する。
【００８３】
表示アイコンＵＲＬ２１２は、ポップアップ時に表示するアイコンを取得するインターネット上のＵＲＬを示す。広告主ＵＲＬ２１３は、広告主のウェブサイトの代表ＵＲＬを示す。ジャンプ先ＵＲＬ２１４は、ユーザがポップアップに反応してリモコン１００を操作した場合、Ｗｅｂブラウザによって、このＵＲＬの内容が表示される。有効期限２１５は、ポップアップデータの有効期限を表し、期限が過ぎた場合、ポップアップを表示させないために利用する。ジャンル２１６は、ポップアップデータが示す商品のジャンルを表すものである。年齢２１７は、ポップアップデータが示す商品の広告を行う上での対象年齢を示す。ジャンル２１６および年齢２１７は、受信装置１０の設定内容に適合する項目があり、さらに条件に合致しない場合、ポップアップを行わないなどの制御に使用することができる。
【００８４】
図４には、２つのポップアップ、つまりポップアップＩＤ「２００００００１」およびポップアップＩＤ「２００００００２」のポップアップについてのポップアップデータが示されている。ポップアップＩＤ「２００００００１」のコンテンツＩＤ２０２、広告主２０３、内容２０４、表示モード２０５、開始時間２０６、継続時間２０７、時間限定２０８、ポップアップ座標２０９、商品座標２１０、アクション２１１、表示アイコンＵＲＬ２１２、広告主ＵＲＬ２１３、ジャンプ先ＵＲＬ２１４、有効期限２１５、ジャンル２１６、および年齢２１７は、それぞれ「１００００１」、「ＳＥＬＣＯ」、「限定ウォッチ」、「０１０」、「００：０３：１０」、「００：１０」、「あり」、「１２００、７２０」、「３００、４００」、「通常」、「ｈｔｔｐ：／／ｘｘｘ．ｙｙｙ／・・」、「ｈｔｔｐ：／／ｘｘｘ．ｙｙｙ／・・」、「ｈｔｔｐ：／／ｘｘｘ．ｙｙｙ／・・」、「２００５／１２／１０」、「装飾品」、および「１８歳以上」である。ポップアップＩＤ「２００００００２」については、それぞれ「１００００２」、「早川書店」、「原作本」、「００１」、「０１：５５：００」、「００：０７」、「なし」、「−」、「−」、「点滅」、「ｈｔｔｐ：／／ａａａ．ｂｂｂ／・・」、「ｈｔｔｐ：／／ａａａ．ｂｂｂ／・・」、「ｈｔｔｐ：／／ａａａ．ｂｂｂ／・・」、「２００６／３／３１」、「書籍」、および「１０歳以上」である。
【００８５】
図５は、図１に示したサービスサーバ２０から配信されるコンテンツ付属データの構造図の一例を示す。コンテンツ付属データは、コンテンツの付属情報であり、受信装置１０が、後述するコンテンツリスト画面を表示するためにサービスサーバ２０から受信するデータである。コンテンツ付属データは、コンテンツＩＤ２２１、タイトル２２２、再生時間２２３、料金２２４、消去期限２２５、および内容説明２２６の各データ項目を含む。
【００８６】
コンテンツＩＤ２２１は、コンテンツを一意に特定する番号である。タイトル２２２は、コンテンツのタイトル名である。再生時間２２３は、等倍速で再生した場合のおおよその再生時間を分で表現したものである。料金２２４は、そのコンテンツを消去期限２２５まで視聴するのに要する料金の額である。消去期限２２５は、この時点で購入された場合のコンテンツの視聴期限で、この期限を過ぎたコンテンツは、不揮発性メモリ１５内のコンテンツ記憶部１５ｃから消去される。内容説明２２６は、コンテンツの内容を示すテキストが記述されている。
【００８７】
図５には、２つのコンテンツ、つまりコンテンツＩＤ「１００００１」およびコンテンツＩＤ「１００００２」のコンテンツについてのコンテンツ付属データが示されている。コンテンツＩＤ「１００００１」のタイトル２２２、再生時間２２３、料金２２４、消去期限２２５、および内容説明２２６は、それぞれ「冬のドナタ」、「１１０分」、「３００円」、「２００５／９／１４」、および「韓流人気ドラ・・・」であり、コンテンツＩＤ「１００００２」については、それぞれ「リハーポッター」、「１６２分」、「４００円」、「２００５／９／８」、および「魔法使いのポ・・・」である。
【００８８】
図６は、図１に示したサービスサーバ２０で管理されるコンテンツ管理データの構造図の一例を示す。コンテンツ管理データは、コンテンツを管理するためのデータであり、サービスサーバ２０内に蓄積され、コンテンツＩＤ２４１、タイトル２４２、再生時間２４３、料金２４４、消去期限２４５、内容説明２４６、コンテンツファイルパス２４７、関連ポップアップデータ件数２４８、および関連ポップアップＩＤリスト２４９の各データ項目を含む。
【００８９】
コンテンツＩＤ２４１、タイトル２４２、再生時間２４３、料金２４４、消去期限２４５、および内容説明２４６は、それぞれ図５に示したコンテンツ付属データのコンテンツＩＤ２２１、タイトル２２２、再生時間２２３、料金２２４、消去期限２２５、および内容説明２２６と同じであるので、説明は省略する。
【００９０】
コンテンツファイルパス２４７は、コンテンツの実体ファイルを管理するサービスサーバ２０内のファイル位置、あるいはその他サービス側が管理するサーバ内のファイル位置を示す。コンテンツＩＤ２４１とファイル実体との対応をとっている。関連ポップアップデータ件数２４８は、コンテンツの送信時に受信装置１０に配信すべきポップアップデータの件数を示している。関連ポップアップＩＤリスト２４９は、配信すべきポップアップデータのポップアップＩＤの一覧を示すリストであり、ここに記述されたポップアップＩＤを持つポップアップデータが、コンテンツの送信時に送信される。
【００９１】
図６には、２つのコンテンツ、つまりコンテンツＩＤ「１００００１」およびコンテンツＩＤ「１００００２」のコンテンツについてのコンテンツ管理データが示されている。コンテンツＩＤ「１００００１」のコンテンツファイルパス２４７、関連ポップアップデータ件数２４８、および関連ポップアップＩＤリスト２４９は、それぞれ「／ｏｐｔ／ａｖｆｉｌｅ／１００００１．ｍｐｇ」、「４」、および「２００００００１、２００００００２、・・・」であり、コンテンツＩＤ「１００００２」については、それぞれ「／ｏｐｔ／ａｖｆｉｌｅ／１００００２．ｍｐｇ」、「８」、および「２０００００１０、２０００００１３、・・・」である。
【００９２】
図７は、図２に示した受信装置１０が処理するポップアップデータ取得フローチャートである。ポップアップデータの取得は、コンテンツ取得のシーケンスの中で行われ、このフローチャートは、コンテンツ取得の手順を示す。たとえば、リモコン１００の電源キー１０１押下によって電源投入されると、受信装置１０は、不揮発性メモリ１５内のプログラム記憶部１５ａに記憶されている受信プログラムを起動して、ステップＡ１に移る。図７に示した各ステップは、受信プログラムの動作である。
【００９３】
ステップＡ１では、サービスサーバ２０に対し、コンテンツリスト送信要求を行い、コンテンツリストを受信し、後述するコンテンツリスト画面を表示する。コンテンツリストは、図５に示したコンテンツ付属データの集合によって構成される。このとき、不揮発性メモリ１５のコンテンツ記憶部１５ｃに一時的に記憶されているコンテンツの消去期限を確認し、期限を過ぎたコンテンツを消去する。
【００９４】
ステップＡ２では、ユーザがコンテンツを選択すると、選択されたコンテンツが購入済みか否か、すなわち選択されたコンテンツがコンテンツ記憶部１５ｃに記憶されているか否かを確認する。購入済みである場合は、ステップＡ９へ進み、再生を開始する。購入済みでない場合はステップＡ３へ進む。ステップＡ３では、後述する購入確認画面を表示する。ステップＡ４では、購入するか否かを確認する。購入する場合は、ステップＡ５に進み、キャンセルした場合つまり購入しない場合は、ステップＡ１へ戻り、コンテンツリスト画面を表示する。
【００９５】
ステップＡ５では、コンテンツ記憶部１５ｃに記憶されているコンテンツ付属データから抽出した、選択されたコンテンツに対応するコンテンツＩＤと、予め不揮発性メモリ１５内の設定情報記憶部１５ｄに記憶されたクレジットカードデータ、たとえばカード番号、名前、および有効期限などの情報とを含んだ購入要求をサービスサーバ２０に送信する。ステップＡ６では、サービスサーバ２０が、クレジットカードが有効か否かを示す応答を返すと、受信装置１０はこの応答を受信し、クレジットカードが有効か否かを判断する。クレジットカードが無効つまり有効でない場合は、ステップＡ１へ戻り、コンテンツリスト画面を表示する。クレジットカードが有効である場合は、ステップＡ７に進む。
【００９６】
ステップＡ７では、購入したコンテンツに関連するすべてのポップアップデータの受信を行い、不揮発性メモリ１５内のポップアップデータ記憶部１５ｂに記憶する。ここで、表示アイコンＵＲＬに記載された場所から、アイコンデータを受信し、同様にポップアップデータ記憶部１５ｂに記憶する。ステップＡ８では、コンテンツの受信を開始する。受信したコンテンツは、コンテンツ記憶部１５ｃに一時的に記憶するとともに、同時並行でステップＡ９へ進む。
【００９７】
ステップＡ９では、後述するポップアップ表示プログラムを起動し、制御をポップアップ表示プログラムに渡す。ポップアップ表示プログラムが終了した場合、ステップＡ１に戻り、コンテンツリスト画面を表示する。図７には図示していないが、受信プログラムの起動後の各ステップでリモコン１００の電源キー１０１が操作された場合は、受信プログラムを終了する。
【００９８】
図８は、図１に示したサービスサーバ２０が処理するポップアップデータ送出フローチャートである。このフローチャートは、サービスサーバ２０におけるポップアップデータの送信およびコンテンツ送信の手順を示す。この手順は、図７に示した受信装置１０におけるポップアップデータの取得の手順と連動している。サービスサーバ２０は、起動後、ステップＢ１に移る。
【００９９】
ステップＢ１では、受信装置１０からの要求の待ち状態となっており、常時要求の有無を監視している。要求がない場合は、短時間、たとえば１００ミリ秒の待機後、ステップＢ１の手順を繰り返す。要求があった場合は、ステップＢ２へ進む。ステップＢ２では、要求がコンテンツリストの送信要求であるか否かを確認する。コンテンツリストの送信要求であった場合は、ステップＢ８に進み、コンテンツリストの送信要求でない場合は、ステップＢ３に進む。
【０１００】
ステップＢ３では、要求が購入要求であるか否かを確認する。購入要求でない場合は、無効な要求として、何も処理せずにステップＢ１へ戻る。購入要求である場合は、ステップＢ４へ進む。ステップＢ４では、クレジットカードデータ、たとえばカード番号、名前、および有効期限などの情報を与信サーバ４０へ送信し、有効か否かを問い合わせる。ステップＢ５では、与信サーバ４０から応答を得ると、クレジットカードが有効であるか否かを判断する。クレジットカードが無効である場合つまり有効でない場合は、ステップＢ９に進む。クレジットカードが有効である場合は、ステップＢ６へ進む。
【０１０１】
ステップＢ６では、コンテンツの料金の課金処理を行うと共に、コンテンツに関連する全てのポップアップデータを受信装置１０へ送信する。このとき、ポップアップデータは、表示開始時間の早いものの順にソートした状態で送信する。続いてステップＢ７では、進み、コンテンツデータの送信を行う。送信が完了すると、ステップＢ１へ戻る。
【０１０２】
ステップＢ８では、ユーザに提供することが可能な全てのコンテンツのコンテンツ付属データを受信装置１０に送信し、ステップＢ１へ戻る。ステップＢ９では、クレジットカードが無効であることを示す通知を行い、ステップＢ１へ戻る。
【０１０３】
図９は、図２に示した受信装置１０が処理するポップアップの表示および広告主サイト接続フローチャートである。受信装置１０におけるポップアップの表示処理の手順を示す。ポップアップの表示は、不揮発性メモリ１５内のプログラム記憶部１５ａに記憶されるポップアップ表示プログラムが行う。コンテンツの再生が開始されると、すなわち受信プログラムが図７に示したステップＡ９でポップアップ表示プログラムを起動すると、ステップＣ１に移る。図９に示した各ステップは、ポップアップ表示プログラムの動作である。
【０１０４】
ステップＣ１では、コンテンツの再生を開始する。再生と並行して、ステップＣ２へ進む。ステップＣ２では、再生を開始したコンテンツのコンテンツＩＤと一致するコンテンツＩＤを持つポップアップデータを、不揮発性メモリ１５内のポップアップデータ記憶部１５ｂを先頭から順に１件読み出す。ステップＣ３では、終端か否か、すなわちポップアップデータ記憶部１５ｂからポップアップデータを読み出せたか否か確認する。読み出しが行えなかった場合は、終端と判断して、ステップＣ１２へ進む。ポップアップデータの読み出しに成功した場合は、終端でないと判断し、ステップＣ４へ進む。
【０１０５】
ステップＣ４では、ポップアップデータの開始時間２０６を参照し、コンテンツの再生開始から経過した時間の時点と比較して、ポップアップの表示タイミングであるか否かを判断する。再生開始から経過した時間の時点が開始時間２０６の時点よりも早い場合は、ポップアップの表示タイミングでないと判断し、ごく短時間、たとえば１５ミリ秒の待機後、ステップＣ４の手順を繰り返す。再生開始から経過した時間の時点が開始時間２０６の時点と同じ、あるいは遅い場合は、表示タイミングであると判断し、ステップＣ５へ進む。
【０１０６】
ステップＣ５では、ポップアップの表示を行う。このときの画面については後述する。ポップアップ表示を継続しつつ、ステップＣ６へ進む。ステップＣ６では、ユーザ操作、すなわちリモコン１００の決定キー１０３が押されたか否かを判断する。ユーザ操作がないと判断された場合は、ステップＣ１３へ進む。ユーザ操作があると判断された場合は、ステップＣ７へ進む。
【０１０７】
ステップＣ７では、コンテンツの再生を一時停止し、不揮発性メモリ１５内のプログラム記憶部１５ａに記憶されたＷｅｂブラウザを起動して、画面を後述する広告画面の構成にする。つづいて、ステップＣ８では、現在参照しているポップアップデータのジャンプ先ＵＲＬ２１４の情報を取得し、Ｗｅｂブラウザによって表示する。ステップＣ９では、Ｗｅｂブラウザが終了したか否かを判断し、Ｗｅｂブラウザが終了するのを待つ。Ｗｅｂブラウザが終了していない場合は、短時間、例えば１００ミリ秒の待機後、再度ステップＣ９を実行する。Ｗｅｂブラウザが終了した場合は、ステップＣ１０へ進む。ステップＣ１０では、一時停止していたコンテンツの再生を再開する。ステップＣ１１では、再生の再開が成功したか否かを確認する。再生が再開できず終了した場合は、ポップアップ表示プログラムを終了する。再生が正常に再開できた場合は、ステップＣ２へ戻る。
【０１０８】
ステップＣ１２では、再生が終了したか否かを判断する。再生が終了していない場合は、短時間、たとえば１００ミリ秒の待機後、ステップＣ１２の手順を繰り返す。再生が終了している場合は、終了する。ステップＣ１３では、ポップアップの表示を開始してから、ポップアップデータの継続時間２０７が経過したか否を判断する。ポップアップデータの表示を開始してから、継続時間２０７が経過していない場合は、短時間、たとえば１００ミリ秒の待機後、ステップＣ１３へ戻る。継続時間２０７が経過した場合は、ステップＣ１４へ進む。ステップＣ１４では、ポップアップ表示を画面から消去して、ステップＣ２へ戻る。
【０１０９】
図１０は、図２に示した表示パネル１７に表示されるポップアップが１つの場合のポップアップ表示画面の例を示す。図１０（ａ１）は、コンテンツの映像の中に１つのポップアップを表示した画面３００を示す。受信装置１０は、視聴者が番組視聴中に、不揮発性メモリ１５のポップアップデータ記憶部１５ｂに記憶されているポップアップデータの開始時間２０６から継続時間２０７の間、表示アイコンＵＲＬ２１２から読み出したアイコン３０１をポップアップ座標２０９に表示する。図１０（ａ１）に示した画面３００では、画面の左上の位置にアイコン３０１が表示されている。
【０１１０】
図１０（ａ２）は、コンテンツの映像を縮小表示し、コンテンツの映像とは別の領域に１つのポップアップを表示した画面３１０を示す。受信装置１０の設定によって、コンテンツ画面の縮小表示が可能な場合、ポップアップ表示領域３１１を設け、ポップアップ表示領域３１１にアイコン３１２を表示する。図１０（ａ２）に示した画面３１０では、ポップアップ表示領域３１１の左下にアイコン３１２が表示されている。
【０１１１】
図１０（ｂ）は、コンテンツの映像とともに広告画面を表示した画面３２０を示す。受信装置１０は、ポップアップ表示中に、リモコン１００の決定キー１０３が押されると、広告画面３２２をコンテンツ画面３２４と同時に表示する。広告画面３２２は、ポップアップデータに含まれるジャンプ先ＵＲＬ２１４のデータが表示される。画面３２０には、アイコン３２１が画面の右上に表示され、詳細ボタン３２２が画面右側の下側に表示されている。広告画面３２２表示中は、コンテンツの再生は一時停止される。商品座標２１０が示す位置に商品表示枠３２５および矢印３２６を表示して商品の強調が行われる。
【０１１２】
リモコン１００の戻るキー１０６が押下されると、広告画面３２２が閉じられて、コンテンツの映像が画面全体に表示され、コンテンツ再生が再開される。画面３２０に表示された詳細ボタン３２３が押されると、広告主ＵＲＬ２１３に含まれるＷｅｂ画面が、広告画面３２２に表示される。
【０１１３】
図１１は、図２に示した表示パネル１７に表示されるポップアップが複数の場合のポップアップ表示画面の例を示す。図１１（ａ１）は、コンテンツの映像の中に複数のポップアップを表示した画面３３０を示し、画面３３０の画面の左上の位置にアイコン３３１〜３３３が表示されている。同じ時間帯に複数のポップアップがあり、ポップアップ座標が重なる場合、ポップアップのアイコンを重ならないように並べ替えて表示する。もしくは受信装置１０内で予め決められた時間間隔毎に入れ替えて表示させてもよい。
【０１１４】
図１１（ａ２）は、コンテンツの映像を縮小表示し、コンテンツの映像とは別の領域に３つのポップアップを表示した画面３４０を示し、ポップアップ表示領域３４１の左下にアイコン３４２〜３４４が表示されている。
【０１１５】
図１１（ａ３）は、複数の広告画面を示す。図１１（ａ１）または図１１（ａ２）に示した状態のとき、リモコン１００の決定キー１０３が押されると、図１１（ａ３）に示した３つの広告画面のうちの１つ広告画面が、図１０（ｂ）に示した画面３２０の右側の画面の位置に表示される。この広告画面は、複数の広告画面、すなわちアイコンの数に対応する数のページからなる広告画面である。広告画面には、「ページ送り」ボタンおよび「ページ戻し」ボタンが表示される。図１１（ａ３）では、「ページ送り」ボタンは、「次へ」という文字とともに表示された右方向の矢印ボタンに対応し、「ページ戻し」ボタンは、「前へ」という文字とともに表示された左方向の矢印ボタンに対応する。「ページ送り」ボタンおよび「ページ戻し」ボタンを、それぞれリモコン１００の左方向および右方向へのカーソルキー１０４を操作することによって、広告画面のページを切り換え、他商品の広告画面を開くことができる。「ページ送り」ボタンと「ページ戻し」ボタンのある矩形領域は、フレームであり、受信装置１０で作成される。「ページ送り」ボタンおよび「ページ戻し」ボタンを押した場合のジャンプ先は、各ポップアップデータのジャンプ先ＵＲＬ２１４が対応付けされる。
【０１１６】
広告画面３５０は、複数の広告画面のうちの先頭のページの広告画面であり、「ページ送り」ボタン３５１が表示され、「ページ戻し」ボタンはない。「ページ送り」ボタン３５１を押すと広告画面３６０が表示される。広告画面３６０は、２番目のページの広告画面であり、「ページ送り」ボタン３６１および「ページ戻し」ボタン３６２が表示されている。「ページ送り」ボタン３６１を押すと広告画面３７０が表示され、「ページ戻し」ボタン３６２を押すと広告画面３５０が表示される。広告画面３７０は、３番目のページの広告画面であり、「ページ戻し」ボタン３７１および「ページ送り」ボタン３７２が表示されている。「ページ戻し」ボタン３７１を押すと広告画面３６０が表示される。
【０１１７】
図１２は、図２に示した表示パネル１７に表示されるポップアップ広告一覧画面４００の一例を示す。ポップアップ広告一覧画面４００は、ポップアップデータによって送られた広告の一覧を示す画面であり、この画面から広告画面を表示することができる。広告一覧は、たとえばジャンル別、表示時間順、あるいは広告更新時間順などでソートして表示する。ポップアップ広告一覧画面４００は、コンテンツ再生前、再生中、および再生後のいずれの時期でも表示することができる。
【０１１８】
図１２には、広告一覧がジャンル別、具体的には「家電」４０２、「家具」４０３、「ミュージック」４０４、および「本」４０５の４つのジャンル別に示されており、各広告は、アイコンおよび商品名が示されている。ユーザは、カーソル４０１をリモコン１００の上下左右方向のカーソルキー１０４で操作し、カーソル４０１を確認したい広告に合わせ、決定キー１０３を押すことによって、広告画面の表示を行うことができる。
【０１１９】
図１３は、ポップアップ表示タイミングの一例を示す。コンテンツの再生と表示されるポップアップとの時間関係を示す。ポップアップデータのコンテンツＩＤ２０２が、再生されるコンテンツのコンテンツＩＤと一致するポップアップの表示時間を、コンテンツの再生が開始されてからの時間で示している。
【０１２０】
図１３では、コンテンツＩＤが「１００００５」で、再生時間が「７０分」のコンテンツについて、ポップアップＩＤが「３００００００１」、開始時間が「００：０３：３０」、および継続時間が「００：１０」のポップアップ、ポップアップＩＤが「３００００００２」、開始時間が「００：２５：１０」、および継続時間が「００：０７」のポップアップ、ならびにポップアップＩＤが「３００００００３」、開始時間が「０１：０５：００」、および継続時間が「００：２０」のポップアップの３件のポップアップの表示時間を示している。コンテンツＩＤが「１００００５」のコンテンツに対しては、コンテンツの配信に先立って、３件のポップアップデータがサービスサーバ２０から送信される。
【０１２１】
コンテンツの再生開始から、３分３０秒経過した時点から１０秒間、ポップアップＩＤ「３００００００１」のポップアップ表示を行い、再生開始から２５分１０秒経過した時点から７秒間、ポップアップＩＤ「３００００００２」のポップアップ表示を行い、さらに、再生開始から１時間５分経過した時点から２０秒間、ポップアップＩＤ「３００００００３」のポップアップ表示を行う。ポップアップの表示期間中に、ユーザがリモコン１００の決定キー１０３を押下すると、広告画面、たとえば図１０（ｂ）に示した画面３２０が表示される。
【０１２２】
図１４は、図２に示した表示パネル１７に表示されるコンテンツリスト画面５００の一例を示す。コンテンツリスト画面５００は、受信装置１０の電源投入時などに、サービスサーバ２０から受信したコンテンツ付属データを元に作成され、表示される画面である。
【０１２３】
コンテンツリスト画面５００の右領域５０１にコンテンツのタイトル一覧が表示される。上段に画面のタイトル「コンテンツリスト」が表示され、その下に３つのコンテンツのタイトル、「冬のドナタ」、「リハーポッター」、および「スター  ワォーズ６」が表示される。現在選択されているコンテンツのタイトルに矩形の枠で表わされるフォーカス５０２が表示される。このフォーカス５０２は、リモコン１００の上下方向のカーソルキー１０４の操作によって、選択されるタイトルを移動する。コンテンツの数が多く、画面に表示しきれない場合は、タイトル一覧が表示されるリスト領域の右にスクロールバー５０３が表示され、リモコン１００の上下方向のカーソルキー１０４による操作で、表示されていないタイトルを画面に表示することができる。リスト領域の上端より上あるいは下端より下を選択しようとした場合は、スクロールバー５０３を操作すると、画面がスクロールし、新たなコンテンツのタイトルが表示されるとともに、フォーカス５０２がそのコンテンツを選択した状態になる。
【０１２４】
フォーカス５０２によって選択されたコンテンツの情報は、画面左領域５０４に表示される。コンテンツの情報には、タイトル、再生時間、消去期限、および内容説明が含まれる。画面５００には、タイトル「スター  ワォーズ６」、再生時間「１５６分」、消去期限「２００５年９月８日」、および内容説明「人気のＳＦ作品の６作目・・・」と示されている。
【０１２５】
リモコン１００の決定キー１０３を操作され、選択されているタイトルのコンテンツが購入済みのコンテンツであれば、再生が開始される。未購入の場合は、図１５で詳述する購入確認画面が表示される。
【０１２６】
図１５は、図２に示した表示パネル１７に表示される購入確認画面５１０の一例を示す。購入確認画面５１０は、コンテンツリスト画面５００で未購入のコンテンツを選択した場合に表示される画面である。
【０１２７】
購入確認画面５１０には、画面の上側に画面のタイトル「購入確認画面」が示され、画面の中ほどにコンテンツのタイトルと料金が表示され、画面の下側に購入ボタン５１１およびキャンセルボタン５１２が配置されている。図１５には、タイトルおよび料金が、それぞれ「タイトル：スター  ワォーズ６」および「料金：４００円」として示されている。
【０１２８】
リモコン１００の左右方向のカーソルキー１０４の操作によって、フォーカス５１３は、購入ボタン５１１およびキャンセルボタン５１２の２ボタンを移動する。リモコン１００の決定キー１０３を押下した場合、フォーカス５１３が存在するボタンが押されたことになる。購入が選択された場合、受信装置１０は、コンテンツＩＤおよびクレジット番号をサービスサーバ２０へ送信する。キャンセルボタン５１２が選択された場合は、コンテンツリスト画面５００に戻る。
【０１２９】
図１６は、図２に示した表示パネル１７に表示される設定画面５２０の一例を示す。設定画面５２０は、リモコン１００の設定キー１０２が押下された場合に表示される画面である。
【０１３０】
設定画面５２０には、画面の上側に画面のタイトル「設定画面」が示され、その下側にネットワーク設定ボタン５２１、ユーザ情報設定ボタン５２２、カード情報設定ボタン５２３、ポップアップ表示方法選択ボタン５２４、キャンセルボタン５２５が配置される。リモコン１００の上下左右方向のカーソルキー１０４の操作によって、フォーカス５２６は、この５つボタンを移動する。リモコン１００の決定キー１０３を押下した場合、フォーカス５２６が存在するボタンが押されたことになる。
【０１３１】
ネットワーク設定ボタン５２１が押された場合は、ネットワーク設定画面５４０が表示される。ユーザ情報設定ボタン５２２が押された場合は、ユーザ情報設定画面が表示される。カード情報設定ボタン５２３が押された場合は、カード情報設定画面５３０が表示される。ポップアップ方法選択ボタン５２４が表示された場合は、ポップアップ方法選択画面が表示される。さらにキャンセルボタン５２５が押された場合は、設定画面５２０が表示される前の画面に遷移する。
【０１３２】
図１７は、図２に示した表示パネル１７に表示されるカード情報設定画面５３０の一例を示す。カード情報設定画面５３０は、設定画面５２０でカード情報設定ボタン５２３が押された場合に表示される画面である。
【０１３３】
カード情報設定画面５３０には、画面の上側に画面のタイトル「クレジットカード情報設定画面」が示され、画面の中ほどに氏名入力欄５３１、月および年用の２つの入力欄を有する有効期限入力欄５３２、およびカード番号入力欄５３３が示され、画面の下側に設定ボタン５３４およびキャンセルボタン５３５が配置される。リモコン１００の上下左右方向のカーソルキー１０４の操作によって、フォーカス５３６は、この４個の入力欄および２つのボタンを移動する。リモコン１００の決定キー１０３を押下した場合、フォーカス５３６が存在する入力欄が選択された、あるいは、ボタンが押されたことになる。
【０１３４】
氏名入力欄５３１は、「氏名：」と表示された右側に入力欄がある。リモコン１００の文字種切り換えキー１０７および文字入力キー１０８を操作することによって、片仮名でクレジットカードの名義氏名を氏名入力欄５３１に入力する。有効期限欄５３２は、「有効期限：」と表示された右側に月および年用の２つの入力欄がある。クレジットカードの有効期限を数字モードにて２桁の数字で、月および年用の２つの入力欄に入力する。カード番号入力欄５３３は、「カード番号：」と表示された右側に入力欄がある。数字モードにてクレジットカードの番号を１６桁でカード番号入力欄５３３に入力する。
【０１３５】
設定ボタン５３４が押された場合は、設定内容を不揮発性メモリ１５内の設定情報記憶部１５ｄに記憶して、設定画面５２０に戻る。キャンセルボタン５３５が押された場合は、入力内容を反映せずに、つまり設定情報を設定情報記憶部１５ｄに記憶せずに、設定画面５２０に戻る。
【０１３６】
図１８は、図２に示した表示パネル１７に表示されるネットワーク設定画面５４０の一例を示す。ネットワーク設定画面５４０は、設定画面５２０でネットワーク設定ボタン５２１が押された場合に表示される画面であり、受信装置１０がネットワークに接続するために必要な設定を行うことができる。
【０１３７】
ネットワーク設定画面５４０には、画面の上側に画面のタイトル「ネットワーク設定画面」が示され、画面の中ほどにＩＰ（Internet Protocol）アドレス設定欄５４１、ネットマスク設定欄５４２、デフォルトゲートウェイ設定欄５４３、ＤＮＳ（Domain Name
Server）サーバ設定欄５４４が示され、画面の下側に設定ボタン５４５およびキャンセルボタン５４６が配置される。各設定欄には、それぞれ４つの項目があり、それぞれ４つの入力欄を有する。リモコン１００の上下左右方向のカーソルキー１０４の操作によって、フォーカス５４７は、この１６個の入力欄および２つのボタンを移動する。リモコン１００の決定キー１０３を押下した場合、フォーカス５４７が存在する入力欄が選択された、あるいは、ボタンが押されたことになる。
【０１３８】
ＩＰアドレス設定欄５４１は、「ＩＰアドレス：」と表示された右側に４つの入力欄がある。受信装置１０に設定すべきＩＰアドレスを４項目に分けて、リモコン１００の文字入力キー１０８を使用し、ＩＰアドレス設定欄５４１の４つの入力欄に、それぞれ数字を設定する。数字は、数字０〜２５５の中から選択された数字である。ネットマスク設定欄５４２、デフォルトゲートウェイ設定欄５４３、およびＤＮＳサーバ設定欄５４４についても、ＩＰアドレス設定欄５４１と同様に設定を行う。
【０１３９】
設定ボタン５４５が押された場合は、各入力欄に入力された数字を不揮発性メモリ１５内の設定情報記憶部１５ｄに記憶して、設定画面５２０に戻る。キャンセルボタン５４６が押された場合は、入力内容を反映せずに、設定画面５２０に遷移する。設定ボタン５４５が押された際に、ＩＰアドレス設定欄が空白の場合は、ＤＨＣＰ（Dynamic Host
Configuration Protocol）によるネットワーク情報の自動設定を試みる。ＤＨＣＰから取得が行えた場合は、ネットマスク、デフォルトゲートウェイ、ＤＮＳサーバ情報も含めて、ＤＨＣＰから取得された値を設定情報記憶部１５ｄに記憶する。
【０１４０】
図１９は、図２に示した受信装置１０が処理する他のポップアップデータ取得フローチャートである。図７に示したポップアップデータ取得フローチャートでは、ポップアップデータとコンテンツとを連続して取得したが、ポップアップデータの取得をコンテンツの取得と独立して実行してもよい。図１９に示したポップアップデータ取得フローチャートでは、コンテンツリストの受信に続いて、ポップアップデータのみを受信し、コンテンツの購入前にコンテンツリストに含まれるコンテンツの再生中に表示されるすべてのポップアップデータを予め取得しておく。ステップＤ１は、図７に示したステップＡ１と同じであり、説明は省略する。
【０１４１】
ステップＤ２では、コンテンツリスト画面の表示が完了した直後、コンテンツリスト中に存在するコンテンツで表示される全てのポップアップデータの送信を、サービスサーバ２０に要求し、これを受信する。この段階では、ポップアップデータ記憶部１５ｂには記憶せず、ワークメモリ１４に保持する。ステップＤ３〜ステップＤ７は、それぞれ図７に示したステップＡ２〜ステップＡ６と同じであり、説明は省略する。
【０１４２】
ステップＤ８では、購入したコンテンツで表示されるポップアップデータだけが抽出され、ポップアップデータ記憶部１５ｂに記憶する。ステップＤ９およびステップＤ１０は、それぞれ図７に示したステップＡ８およびステップＡ９と同じであり、説明は省略する。
【０１４３】
図２０は、図１に示したサービスサーバ２０が処理する他のポップアップデータ送出フローチャートである。図２０は、図１９に示した受信装置１０が処理するポップアップデータ取得フローチャートに対応するサービスサーバ２０側の手順を示したフローチャートである。ステップＥ１およびステップＥ２は、それぞれ図８に示したステップＢ１およびステップＢ２と同じであり、説明は省略する。
【０１４４】
ステップＥ３では、ポップアップデータの送信要求であるか否かを判断する。ポップアップデータの送信要求である場合は、ステップＥ１０へ進み、ポップアップデータの送信要求でない場合は、ステップＥ４へ進む。ステップＥ１０では、コンテンツリストに含まれるコンテンツで表示される全ポップアップデータを一括して受信装置１０に送信し、ステップＥ１の手順へ戻る。ステップＥ４〜ステップＥ６は、それぞれ図８に示したステップＢ３〜ステップＢ５と同じであり、説明は省略する。
【０１４５】
ステップＥ７では、コンテンツの料金の課金処理を行う。課金が終了したのち、ステップＥ８では、コンテンツデータの送信を行い、送信が完了すると、ステップＥ１の要求受付の手順まで戻る。
【０１４６】
このように、広告表示装置である受信装置１０は、コンテンツつまりコンテンツリストから選択されたコンテンツの広告情報つまりポップアップデータを広告提供装置であるサービスサーバ２０から取得し、コンテンツを出力する際、取得した広告情報が示す広告を、出力されるコンテンツの予め定める出力時点に表示し、さらに表示された広告に応答した操作があると、すなわちリモコン１００の操作キーによって操作が行われると、表示された広告の詳細情報を情報提供装置である広告主サーバ３０から取得し、取得した詳細情報を、出力されるコンテンツと非同期に表示するので、広告情報を出力されるコンテンツと必ずしも同期させて取得する必要がなく、コンテンツと広告情報とを非同期に取得して、コンテンツと同期して表示される広告情報から広告の詳細情報を表示することができる。ポップアップデータをコンテンツと非同期で取得することができるので、コンテンツを変更することなく、ポップアップデータのみを差し換えることができる。
【０１４７】
さらに、ポップアップを表すポップアップ情報たとえばポップアップデータであって、コンテンツを識別するためのコンテンツＩＤ情報たとえばコンテンツＩＤ２０２、コンテンツを出力する画面内でポップアップを表示する位置を表すポップアップ表示位置情報たとえばポップアップ座標２０９、コンテンツ出力中にポップアップを表示する時点を表すポップアップ表示時間情報たとえば開始時間２０６、およびポップアップの詳細情報を要求するリンク先を表すリンク先情報たとえばジャンプ先ＵＲＬ２１４を含むポップアップ情報を記憶手段に記憶し、コンテンツのコンテンツＩＤ情報を含む要求情報たとえばコンテンツの購入要求を受信すると、受信した要求情報に含まれるコンテンツＩＤ情報に対応するポップアップ情報を記憶手段から検索して、要求情報を送信した広告表示装置である受信装置１０に送信するので、広告提供装置であるサービスサーバ２０に記憶するポップアップ情報を変更することによって、広告表示装置に表示するポップアップの表示位置および表示時点を変えることができる。したがって、ポップアップの表示位置あるいは表示時点を広告提供装置側で管理することができる。
【０１４８】
さらにまた、コンテンツを識別するためのコンテンツＩＤ情報を含む要求情報たとえばコンテンツの購入要求を送信し、要求情報に応答して広告提供装置であるサービスサーバ２０から返信されるポップアップを表すポップアップ情報たとえばポップアップデータを受信すると、受信したポップアップ情報を記憶手段である不揮発性メモリ１５に記憶し、出力されるコンテンツの予め定める出力時点に、記憶手段に記憶されたポップアップ情報が示すポップアップを表示し、さらに表示されたポップアップが指定手段たとえばリモコン１００によって指定されると、指定されたポップアップの詳細情報を、指定されたポップアップのポップアップ情報に含まれるリンク先情報が示すリンク先から取得し、取得した詳細情報を、出力されるコンテンツと非同期に表示するので、広告情報を出力されるコンテンツと必ずしも同期させて取得する必要がなく、コンテンツと広告情報とを非同期に取得して、コンテンツと同期して表示されるポップアップつまり広告情報から広告の詳細情報を表示することができる。ポップアップデータをコンテンツと非同期で取得することができるので、コンテンツを変更することなく、ポップアップデータのみを差し換えることができる。
【０１４９】
さらに、ポップアップ情報たとえばポップアップデータは、コンテンツを出力する画面内でポップアップを表示する位置を表すポップアップ表示位置情報たとえばポップアップ座標２０９、およびコンテンツ出力中にポップアップを表示する時点を表すポップアップ表示時間情報たとえば開始時間２０６を含み、ポップアップ情報が示すポップアップを、ポップアップ表示位置情報が示す位置およびポップアップ表示時間情報が示す時点に、出力されるコンテンツに重畳して表示するので、ポップアップ情報が示す位置および時点に、ポップアップを表示することができる。したがって、ポップアップ情報を変更することによって、ポップアップの表示位置および表示時点を変えることができる。
【０１５０】
さらにまた、ポップアップの詳細情報を表示するとき、コンテンツの再生を停止するので、ユーザはコンテンツの映像から視線を外してポップアップの詳細情報を見ることができる。したがって、コンテンツの内容を見過ごすことなく、ポップアップの詳細情報を見ることができ、ショッピングに時間をかけても、あとでゆっくりコンテンツの続きから視聴することができる。
【０１５１】
さらに、コンテンツの再生を停止しているとき、ポップアップが指定された時点のコンテンツの画面を縮小して、予め定める表示領域たとえば図１０（ｂ）に示した画面３２０の左側の領域に出力し、詳細情報をその表示領域以外の領域たとえば画面３２０の右側の領域に表示するので、ポップアップが指定された時点のコンテンツの画面を見ることができる。したがって、指定されたポップアップに関係する商品の映像をコンテンツの映像の中に確認することができ、コンテンツと商品との関連性をわかりやすくすることができる。
【０１５２】
さらにまた、指定手段によって指定されたポップアップたとえばユーザ操作が行われたポップアップが示す商品の位置を特定するための商品特定情報たとえば図１０（ｂ）に示した矢印３２６を、そのポップアップの商品位置情報たとえば商品座標２１０が示す位置に、指定手段によってポップアップが指定された時点のコンテンツの画面に重畳させて表示するので、指定されたポップアップに関係する商品をコンテンツの映像の中で特定することができる。したがって、ユーザは、希望する商品を容易に見つけることができる。
【０１５３】
図９に示したフローチャートのステップＣ７で、コンテンツの再生を一時停止するが、停止している期間、サービスサーバ２０から受信しているコンテンツをワークメモリ１４に記憶しておいて、Ｗｅｂブラウザが終了した後、ワークメモリ１４に記憶したコンテンツを再生してもよい。この場合、新たに送信されてくるコンテンツを記憶しながら、記憶したコンテンツを再生することになる。
【０１５４】
あるいは、コンテンツの再生を一時停止するために、受信装置１０からサービスサーバ２０に、コンテンツの送信の停止を要求する停止要求情報を送信して、サービスサーバ２０からのコンテンツの送信を停止してもよい。
【０１５５】
このように、コンテンツの送信の停止を要求する停止要求情報を、広告提供装置であるサービスサーバ２０に送信するので、広告提供装置からのコンテンツの配信が停止される。したがって、ユーザは、コンテンツの内容を見過ごすことなく、ポップアップの詳細情報を見ることができる。
【０１５６】
図９に示したフローチャートのステップＣ６では、ユーザ操作があったか否かを、リモコン１００の決定キー１０３が押されたか否かで判断しているが、戻るキー１０６以外の操作キーが操作されたか否かで判断してもよい。
【０１５７】
このように、戻るキー１０６以外の操作キーが操作されると、指定手段がポップアップを指定した、すなわちユーザ操作があったと判断するので、ユーザは戻るキー１０６以外のキー操作でポップアップを指定することができる。したがって、リモコン１００による操作性を向上することができる。
【０１５８】
図２１は、図２に示した受信装置１０が処理する複数ポップアップの表示および広告主サイト接続フローチャートである。このフローチャートは、複数のポップアップを同時に表示する場合の手順を示し、たとえば複数のポップアップが図１１（ａ１）または図１１（ａ２）に示した画面のように表示された場合、リモコン１００の文字入力キー１０８の数字キーによって、ポップアップを１つ指定させるものである。図１１（ａ１）または図１１（ａ２）に示した画面に表示されたポップアップに対して、左端のポップアップから順に、数字「１」、「２」、および「３」を割り当て、各ポップアップのアイコンの近くに各数字を表示して、同じ値の数字が付された数字キーと対応させる。ステップＦ１〜ステップＦ６は、それぞれ図９に示したステップＣ１〜ステップＣ６と同じであり、説明は省略する。
【０１５９】
ステップＦ７では、ステップＦ６でユーザが操作したキーが数字キーであるか否かを判断する。数字キーの場合は、ステップＦ８に進み、数字キーでない場合は、ポップアップの指定ではないので、ステップＦ１５に進む。ステップＦ８では、コンテンツの再生を一時停止し、不揮発性メモリ１５内のプログラム記憶部１５ａに記憶されたＷｅｂブラウザを起動して、画面を広告画面、たとえば図１０（ｂ）に示した画面３２０の構成にする。
【０１６０】
ステップＦ９では、操作された数字キーに対応するポップアップを決定する。ステップＦ１０では、ステップＦ９で決定されたポップアップに対応するポップアップデータのジャンプ先ＵＲＬ２１４の情報を取得し、Ｗｅｂブラウザによって表示する。ステップＦ１１１〜ステップＦ１６は、それぞれ図９に示したステップＣ９〜ステップＣ１４と同じであり、説明は省略する。
【０１６１】
このように、複数のポップアップを表示する際、ポップアップを識別するための数字とともにポップアップを表示し、数字キーによってポップアップを選択させるので、ポップアップが複数あっても、数字キーを１つ操作するだけでポップアップを選択することができる。したがって、ユーザは、ポップアップを簡単に選択することができる。
【０１６２】
図２１に示したフローチャートでは、同時に表示された複数のポップアップの選択を、数字キーによって行ったが、出力されたコンテンツの画面内の商品に、各ポップアップに関係する商品を特定するための商品特定情報、たとえば図１０（ｂ）の画面３２０に示した矢印３２６と同じ矢印を表示し、リモコン１００のカーソルキー１０４によって目的の商品を示している矢印を選択させてもよい。商品特定情報は、商品特定情報によって特定される商品のポップアップデータを対応付けておく。決定キー１０３を押すことによって、選択された矢印つまり商品特定情報が示す商品が選択される。
【０１６３】
このように、複数のポップアップを表示する際、出力されたコンテンツの画面内の商品に、各ポップアップに関係する商品を特定するための商品特定情報を表示し、指定手段たとえばリモコン１００によって選択された商品特定情報が特定する商品のポップアップを選択するので、出力されたコンテンツの画面内の商品を選択することによって、詳細情報を見たい商品を選択することができる。したがって、ユーザは、視覚によって商品を選択することができる。
【０１６４】
上述した実施の形態では、複数のポップアップを同時に表示したが、ポップアップを表示する位置および時点が同じ場合、複数のポップアップを順次、たとえばポップアップＩＤの上昇順に同じ位置に表示し、表示されているポップアップを決定キー１０３によって選択させてもよい。あるいはユーザ操作によって、ポップアップ選択画面を表示し、カーソルキー１０４によって所望のポップアップを選択させてもよい。
【０１６５】
このように、複数のポップアップを表示する際、ポップアップを表示する位置および時点が同じ場合、ポップアップを表示する時点をずらして表示するので、ポップアップを複数表示するための領域がない場合にも表示することができる。したがって、コンテンツの画面を占有するポップアップの領域を最小限の領域にすることができる。
【０１６６】
図２２は、同時に表示される複数のポップアップを含む場合のポップアップ表示タイミングの一例を示す。図２２では、２つのポップアップ、つまりポップアップＩＤが「３００００００１」およびポップアップＩＤが「３００００００２」の２つのポップアップがともに開始時間「００：０３：３０」から表示される。ポップアップＩＤ「３００００００１」のポップアップの継続時間は「００：１０」であり、ポップアップＩＤ「３００００００２」のポップアップの継続時間は「００：１５」である。開始時間「００：０３：３０」から１０秒間２つのポップアップが表示される。
【０１６７】
図２３は、図２に示した受信装置１０が処理するポップアップ表示終了後の広告サイト接続フローチャートである。図９に示したフローチャートでは、ポップアップの詳細情報を表示するため操作の受付、具体的にはリモコン１００の決定キー１０３が押されたことによる受付は、ポップアップが表示されている期間であるが、ポップアップの表示が終了しても、次のポップアップが表示されるまでは、決定キー１０３が押されたことによる受付を行うようにもよい。図９に示したステップＣ１４でポップアップを消去した後、ステップＧ１に移る。
【０１６８】
ステップＧ１では、ユーザ操作、すなわちリモコン１００の決定キー１０３が押されたか否かを判断する。ユーザ操作がないと判断された場合は、ステップＧ７へ進む。ユーザ操作があると判断された場合は、ステップＧ２へ進む。ステップＧ２では、コンテンツの再生を一時停止し、不揮発性メモリ１５内のプログラム記憶部１５ａに記憶されたＷｅｂブラウザを起動して、画面を広告画面、たとえば図１０（ｂ）に示した画面３２０の構成にする。つづいて、ステップＧ３では、直近に表示したポップアップ、つまり図９に示したステップＣ１４で消去したポップアップのポップアップデータのジャンプ先ＵＲＬ２１４の情報を取得し、Ｗｅｂブラウザによって表示する。ステップＧ４およびステップＧ５は、それぞれ図９に示したステップＣ９およびステップＣ１０と同じであり、説明は省略する。
【０１６９】
ステップＧ６では、再生の再開が成功したか否かを確認する。再生が再開できず終了した場合は、ポップアップ表示プログラムを終了する。再生が正常に再開できた場合は、ステップＧ１へ戻ってユーザ操作を監視し、決定キー受付時間の間は、何度でもユーザ操作を受け付ける。
【０１７０】
ステップＧ７では、決定キー受付時間が経過したか否かを判断する。決定キー受付時間が経過した場合は、終了し、図９に示したステップＣ２に戻る。決定キー受付時間が経過していない場合は、ステップＧ１に戻り、ユーザ操作を監視する。決定キー受付時間は、次のポップアップが表示されるまでの時間である。最終のポップアップの場合は、コンテンツの再生が終了するまでの時間である。
【０１７１】
このように、ポップアップの表示が終了した後、次のポップアップが表示されるまでに、ユーザ操作があると、直近に表示されたポップアップを選択するので、ポップアップの表示が終了した後もポップアップの詳細情報を見ることができる。したがって、ポップアップ表示期間が過ぎても、ポップアップの詳細情報を見ることができ、利便性を向上することができる。
【０１７２】
図２３に示したフローチャートのステップＧ２で、再生を一時停止したときに表示するコンテンツの画面は、ポップアップを表示していた最終時間の画面を表示する。ポップアップに関連する商品は、ポップアップの表示が終了すると、コンテンツの映像には表示されていないので、ポップアップが表示されていた最終時間のコンテンツの画面を表示する。
【０１７３】
このように、再生を一時停止したとき、すなわち詳細情報を表示しているとき、直近のポップアップを表示していた期間のコンテンツの最終画面を出力するので、ポップアップに対応する商品が出力されていたコンテンツの画面を表示することができる。したがって、ユーザは、興味のある商品を映像で見ることができる。
【０１７４】
コンテンツの最終画面を表示する際、ポップアップデータの商品座標２１０、つまりコンテンツ表示領域内で、ポップアップが示す商品に関係する位置の座標を、ポップアップデータ記憶部１５ｂから読み取り、商品座標２１０を先端とする矢印を表示する。たとえば、図１０（ｂ）に示したコンテンツ画面３２４に示した矢印を表示する。
【０１７５】
図２４は、ポップアップ表示終了後も広告サイト接続を行う場合のポップアップ表示タイミングの一例を示す。ポップアップの表示タイミングは、図１３に示した表示タイミングと同じであるが、決定キーを受け付ける決定キー受付時間が異なる。図１３に示した例では、決定キー受付時間は、ポップアップを表示している期間のみであるが、図２４に示した例では、ポップアップを表示している期間のみならず、次のポップアップが表示されるまでの期間も受け付ける。最終のポップアップについては、コンテンツの再生が終了するまでの期間も受け付ける。
【０１７６】
たとえばポップアップＩＤが「３００００００１」のポップアップについては、ポップアップＩＤ「３００００００１」のポップアップを表示している期間ＡＢに加えて、ポップアップの表示が終了してポップアップを表示していない期間ＢＣも受け付ける。同様に、ポップアップＩＤが「３００００００２」のポップアップについては、期間ＤＥも受け付け、ポップアップＩＤが「３００００００３」のポップアップについては、期間ＦＧも受け付ける。
【０１７７】
図２５は、図１に示したサービスサーバ２０から配信されるポップアップデータの構造図の他の例を示す。このポップアップデータは、図４に示したポップアップデータに対して、代表画面時間２１８およびポップアップ大きさ２１９の２つのデータ項目を追加したものである。ポップアップＩＤ２０１、コンテンツＩＤ２０２、広告主２０３、内容２０４、表示モード２０５、開始時間２０６、継続時間２０７、時間限定２０８、ポップアップ座標２０９、商品座標２１０、アクション２１１、表示アイコンＵＲＬ２１２、広告主ＵＲＬ２１３、ジャンプ先ＵＲＬ２１４、有効期限２１５、ジャンル２１６、および年齢２１７の各データ項目は、それぞれ図４に示したポップアップデータの各データ項目と同じであり、説明は省略する。
【０１７８】
代表画面時間２１８は、ポップアップの表示を終了した後の決定キー受付時間に、決定キー１０３が操作され、コンテンツの再生が一時停止されたときに表示するコンテンツの画面を指定する時点を示す。
【０１７９】
図２３に示したフローチャートでは、ポップアップの表示を終了した後に決定キー１０３が操作されると、ポップアップ表示期間の最終画面を表示したが、代表画面時間２１８が示す時点の画面を表示してもよい。たとえば、ポップアップＩＤが「３００００００１」のポップアップについては、代表画面時間２１８が示す時点、つまりポップアップ表示を開始してから８秒後のコンテンツの画面を表示する。
【０１８０】
さらに、ポップアップの詳細情報をＷｅｂブラウザで表示し、Ｗｅｂブラウザを終了した後、Ｗｅｂブラウザ終了時の画面を保持しておいて、Ｗｅｂブラウザ終了後一定時間、たとえば５分間、Ｗｅｂブラウザ終了時の画面を縮小して、コンテンツとともに表示してもよい。
【０１８１】
ポップアップ大きさ２１９は、ポップアップを画面に表示するときのポップアップの大きさを示すものである。具体的には、図９に示したフローチャートのステップＣ５でポップアップを表示する際、表示アイコンＵＲＬ２１２から取得したアイコンの大きさを、ポップアップ大きさ２１９が示す大きさに、拡大あるいは縮小して表示する。
【０１８２】
図２６は、図２に示した受信装置１０が処理するキャンセル機能付きのポップアップの表示および広告主サイト接続フローチャートである。ポップアップが表示されても、ユーザが、表示されたポップアップは不要であると判断した場合、表示されたポップアップを消去するようにしてもよい。ステップＨ１〜ステップＨ６は、それぞれ図９に示したステップＣ１〜ステップＣ６と同じであり、説明は省略する。
【０１８３】
ステップＨ７では、ステップＨ６でのユーザ操作がリモコン１００の戻るキー１０６の操作か否かを判断する。戻るキー１０６である場合は、ステップＨ１５に進み、戻るキー１０６でない場合は、ステップＨ８に進む。ステップＨ８では、ステップＨ６でのユーザ操作がリモコン１００の決定キー１０３の操作か否かを判断する。決定キー１０３である場合は、ステップＨ９に進み、決定キー１０３でない場合は、ステップＨ１７に進む。ステップＨ９〜ステップＨ１４は、それぞれ図９に示したステップＣ７〜ステップＣ１２と同じであり、説明は省略する。
【０１８４】
ステップＨ１５では、ポップアップ表示を画面から消去する。ステップＨ１６では、ポップアップの表示を開始してから、ポップアップデータの継続時間２０７が経過したか否を判断する。ポップアップデータの表示を開始してから、継続時間２０７が経過していない場合は、短時間、たとえば１００ミリ秒の待機後、ステップＨ１６へ戻る。継続時間２０７が経過した場合は、ステップＨ２へ戻る。ステップＨ１７およびステップＨ１８は、それぞれ図９に示したステップＣ１３およびステップＣ１４と同じであり、説明は省略する。
【０１８５】
図２６に示したフローチャートでは、ポップアップの表示をキャンセルするために戻るキー１０６、およびポップアップの詳細情報を表示するために決定キー１０３を用いたが、操作キーは、これらに限定されるものではなく、他の操作キーを割り当ててもよい。さらに１つの操作キーに限定されるものでもなく、複数の操作キーに同じ機能を持たせてもよい。たとえば、数字キーでポップアップを指定する機能を実装しない場合、ポップアップ選択のための矢印キーと決定キー以外は戻るキーと同じキャンセル機能を割り当てても良い。
【０１８６】
このように、ポップアップが表示された後、消去指示手段によってポップアップの消去が指示されると、たとえば戻るキー１０６が操作されると、表示されたポップアップを消去するので、不要なポップアップの表示をなくすことができる。したがって、出力されるコンテンツの画面から不要なポップアップを消去ができる。
【０１８７】
上述した実施の形態では、表示したポップアップに対するユーザの操作があると、図９に示したフローチャートのステップＣ８でポップアップの詳細情報つまりジャンプ先ＵＲＬ２１４の情報を取得して、Ｗｅｂブラウザで表示したが、ポップアップデータを受信した直後に、ジャンプ先ＵＲＬ２１４の情報を取得してもよい。
【０１８８】
具体的には、たとえば図７に示したフローチャートのステップＡ７の後、図４に示したポップアップデータの中で開始時間２０６の早いポップアップから順に、各ジャンプ先ＵＲＬ２１４の情報を取得して、ワークメモリ１４に記憶しておく。図９に示したフローチャートのステップＣ８で、ワークメモリ１４にジャンプ先ＵＲＬ２１４の情報が記憶されていれば、ワークメモリ１４に記憶されているジャンプ先ＵＲＬ２１４の情報をＷｅｂブラウザで表示する。詳細情報の取得先は、ジャンプ先ＵＲＬ２１４で指定されるので、広告の実体つまり詳細情報は、広告主の判断で柔軟に変更することができる。
【０１８９】
ジャンプ先ＵＲＬ２１４の情報を受信することができない場合は、広告主ＵＲＬ２１３の情報を取得して、ジャンプ先ＵＲＬ２１４の情報の代替としてもよい。さらに広告主ＵＲＬ２１３の情報も受信することができない場合は、その広告主ＵＲＬ２１３のポップアップデータを削除してもよい。
【０１９０】
このように、ポップアップ情報たとえばポップアップデータが取得された後、ポップアップ情報が示すポップアップの詳細情報を取得して、記憶手段であるワークメモリ１４に記憶し、指定手段によってポップアップが指定されたとき、たとえばユーザ操作によってポップアップが指定されたとき、記憶手段に詳細情報が記憶されていれば、記憶手段に記憶されている詳細情報を、出力されるコンテンツと非同期に表示するので、指定手段によってポップアップが指定されたとき、直ぐに詳細情報を表示することができる。したがって、広告提供装置である受信装置１０の応答性を向上することができる。
【０１９１】
ジャンプ先ＵＲＬ２１４にアクセスする際、ポップアップデータに含まれるジャンプ先ＵＲＬ２１４に特有の文字データを変数として追加して、ユーザ情報あるいは機器情報のやり取りに用いてもよい。
【０１９２】
このように、詳細情報を要求する際、すなわちジャンプ先ＵＲＬ２１４にアクセスする際、予め定められるリンク先毎の変数データ、たとえばポップアップデータに含まれたジャンプ先ＵＲＬ２１４に特有の文字データを付加して送信するので、詳細情報以外の情報、たとえばユーザ情報あるいは機器情報のやり取りを行うことができる。したがって、詳細情報取得の際に、他の情報を交換することによって、他の機能を付加することができる。
【０１９３】
本発明の実施の他の形態である広告提供方法は、図７〜図９に示したフローチャートによって実現される。さらに、図１９〜図２１、図２３、および図２６に示したフローチャートによって示される変更が加えられた広告提供方法も実現可能である。
【０１９４】
このように、コンテンツに応じた広告情報たとえばポップアップデータを提供する広告提供装置であるサービスサーバ２０から、コンテンツの広告情報を取得し、コンテンツを広告表示装置である受信装置１０に出力する際、取得した広告情報が示す広告を、出力されるコンテンツの予め定める出力時点に広告表示装置に表示し、さらに表示された広告に応答した操作があると、広告の詳細情報を提供する情報提供装置である広告主サーバ３０から、表示された広告の詳細情報を取得し、取得した詳細情報を、出力されるコンテンツと非同期に広告表示装置に表示するので、広告情報を出力されるコンテンツと必ずしも同期させて取得する必要がなく、コンテンツと広告情報とを非同期に取得して、コンテンツと同期して表示される広告情報から広告の詳細情報を表示することができる。ポップアップデータをコンテンツと非同期で取得することができるので、コンテンツを変更することなく、ポップアップデータのみを差し換えることができる。
【０１９５】
本発明の実施のさらに他の形態であるプログラムは、不揮発性メモリ１５のプログラム記憶部１５ａに記憶される受信プログラムおよびポップアップ表示プログラムを含むプログラムであって、受信装置１０のＣＰＵ１２によって実行されるプログラムによって実現される。プログラム記憶部１５ａに記憶される受信プログラムおよびポップアップ表示プログラムは、それぞれ図７および図９に示したフローチャートを実行するプログラムである。さらに図１９、図２１、図２３、および図２６に示したフローチャートを実行するプログラムであってもよい。
【０１９６】
図２に示した受信装置１０では、プログラムは不揮発性メモリ１５に記憶されているが、このプログラムは、着脱可能な記録媒体に記録しておいて、その記録媒体から不揮発性メモリ１５に読込んでもよい。あるいは、記録媒体に記録されているプログラムを汎用のコンピュータにロードして、汎用のコンピュータによって機能させてもよい。
【０１９７】
このように、コンピュータを上述した広告表示装置である受信装置１０の各手段として機能させるためのプログラムとして提供することができる。
【図面の簡単な説明】
【０１９８】
【図１】本発明の実施の一形態である広告提供システム１のブロック図である。
【図２】図１に示した受信装置１０のブロック図である。
【図３】図２に示した受信装置１０のリモコン１００の外観図である。
【図４】図１に示したサービスサーバ２０から配信されるポップアップデータの構造図の一例を示す。
【図５】図１に示したサービスサーバ２０から配信されるコンテンツ付属データの構造図の一例を示す。
【図６】図１に示したサービスサーバ２０で管理されるコンテンツ管理データの構造図の一例を示す。
【図７】図２に示した受信装置１０が処理するポップアップデータ取得フローチャートである。
【図８】図１に示したサービスサーバ２０が処理するポップアップデータ送出フローチャートである。
【図９】図２に示した受信装置１０が処理するポップアップの表示および広告主サイト接続フローチャートである。
【図１０】図２に示した表示パネル１７に表示されるポップアップが１つの場合のポップアップ表示画面の例を示す。
【図１１】図２に示した表示パネル１７に表示されるポップアップが複数の場合のポップアップ表示画面の例を示す。
【図１２】図２に示した表示パネル１７に表示されるポップアップ広告一覧画面４００の一例を示す。
【図１３】ポップアップ表示タイミングの一例を示す。
【図１４】図２に示した表示パネル１７に表示されるコンテンツリスト画面５００の一例を示す。
【図１５】図２に示した表示パネル１７に表示される購入確認画面５１０の一例を示す。
【図１６】図２に示した表示パネル１７に表示される設定画面５２０の一例を示す。
【図１７】図２に示した表示パネル１７に表示されるカード情報設定画面５３０の一例を示す。
【図１８】図２に示した表示パネル１７に表示されるネットワーク設定画面５４０の一例を示す。
【図１９】図２に示した受信装置１０が処理する他のポップアップデータ取得フローチャートである。
【図２０】図１に示したサービスサーバ２０が処理する他のポップアップデータ送出フローチャートである。
【０１９９】
【図２１】図２に示した受信装置１０が処理する複数ポップアップの表示および広告主サイト接続フローチャートである。
【図２２】同時に表示される複数のポップアップを含む場合のポップアップ表示タイミングの一例を示す。
【図２３】図２に示した受信装置１０が処理するポップアップ表示終了後の広告サイト接続フローチャートである。
【図２４】ポップアップ表示終了後も広告サイト接続を行う場合のポップアップ表示タイミングの一例を示す。
【図２５】図１に示したサービスサーバ２０から配信されるポップアップデータの構造図の他の例を示す。
【図２６】図２に示した受信装置１０が処理するキャンセル機能付きのポップアップの表示および広告主サイト接続フローチャートである。
【符号の説明】
【０２００】
１  広告提供システム
１０  受信装置
１１  ネットワークインタフェース
１２  ＣＰＵ
１３  ビデオインタフェース
１４  ワークメモリ
１５  不揮発性メモリ
１６  リモコン受信部
１７  表示パネル
２０  サービスサーバ
３０  広告主サーバ
４０  与信サーバ
５０  インターネット
１００  リモコン
【図１】
0005268228.tif 000002
【図２】
0005268228.tif 000003
【図３】
0005268228.tif 000004
【図４】
0005268228.tif 000005
【図５】
0005268228.tif 000006
【図６】
0005268228.tif 000007
【図７】
0005268228.tif 000008
【図８】
0005268228.tif 000009
【図９】
0005268228.tif 000010
【図１０】
0005268228.tif 000011
【図１１】
0005268228.tif 000012
【図１２】
0005268228.tif 000013
【図１３】
0005268228.tif 000014
【図１４】
0005268228.tif 000015
【図１５】
0005268228.tif 000016
【図１６】
0005268228.tif 000017
【図１７】
0005268228.tif 000018
【図１８】
0005268228.tif 000019
【図１９】
0005268228.tif 000020
【図２０】
0005268228.tif 000021
【図２１】
0005268228.tif 000022
【図２２】
0005268228.tif 000023
【図２３】
0005268228.tif 000024
【図２４】
0005268228.tif 000025
【図２５】
0005268228.tif 000026
【図２６】
0005268228.tif 000027